(57)【要約】【課題】電子チケットを購入しても、ユーザがイベントに参加できなくなったときに、その電子チケットが無駄になるのを防止する。【解決手段】電子チケット販売装置は、少なくとも参加するイベントを特定する情報を含む電子チケットを売却するための売却依頼を、当該電子チケットを購入した第１の購入者から受け付ける売却依頼受付部と、当該売却依頼を受け付けた以降に、当該電子チケットの使用を制限するための情報を、当該電子チケットを認証する認証装置に送信する無効化部と、当該売却依頼を受け付けた以降に、当該電子チケットを購入する第２の購入者に対して、当該電子チケットを提示し電子チケットが販売された場合に、当該電子チケットに関する情報を、当該第２の購入者に送信する販売部と、当該電子チケットが販売された以降に、当該電子チケットの使用を可能とするための情報を、当該電子チケットを認証する認証装置に送信する有効化部と、を含む。【選択図】図１
2018026078.tif 000002
【特許請求の範囲】
【請求項１】
少なくとも参加するイベントを特定する情報を含む電子チケットを売却するための売却依頼を、当該電子チケットを購入した第１の購入者から受け付ける売却依頼受付部と、
前記売却依頼を受け付けた以降に、前記電子チケットの使用を制限するための情報を、当該電子チケットを認証する認証装置に送信する無効化部と、
前記売却依頼を受け付けた以降に、前記電子チケットを購入する第２の購入者に対して、前記電子チケットを提示し、当該電子チケットが販売された場合に、前記電子チケットに関する情報を、前記第２の購入者に送信する販売部と、
前記電子チケットが販売された以降に、前記電子チケットの使用を可能とするための情報を、当該電子チケットを認証する認証装置に送信する有効化部と、
を含む電子チケット販売装置。
【請求項２】
前記販売部は、前記電子チケットに関する情報が所定の条件を満たす場合に、当該電子チケットの販売を制限する
ことを特徴とする請求項１に記載の電子チケット販売装置。
【請求項３】
前記販売部は、前記電子チケットが他の電子チケットに対して相対的に優位な電子チケットである場合に、当該電子チケットの販売を制限する
ことを特徴とする請求項１または２に記載の電子チケット販売装置。
【請求項４】
前記販売部は、前記電子チケットの入手可能性が低い場合に、当該電子チケットの販売を制限する
ことを特徴とする請求項１乃至２のいずれかに記載の電子チケット販売装置。
【請求項５】
前記販売部は、前記電子チケットの在庫数が想定在庫数よりも多い又は以上場合に、当該電子チケットの販売を制限する
ことを特徴とする請求項１乃至２のいずれかに記載の電子チケット販売装置。
【請求項６】
前記販売部は、前記第１の購入者に関する情報が所定の条件を満たす場合に、前記電子チケットの販売を制限する
ことを特徴とする請求項１乃至５のいずれかに記載の電子チケット販売装置。
【請求項７】
前記売却依頼には、当該売却依頼を送信した端末を識別する識別情報が含まれており、
前記売却依頼受付部は、電子チケットの取引履歴を記憶する記憶手段に記憶されている購入申込を送信した端末を識別する識別情報と前記売却依頼を送信した端末を識別する識別情報とを比較し、当該比較結果に応じた条件を満たした場合に当該売却依頼を受け付ける
ことを特徴とする請求項１乃至６のいずれかに記載の電子チケット販売装置。
【請求項８】
前記販売部は、電子チケットの取引履歴を記憶する記憶手段に記憶されている第１の購入者の当該電子チケットの購入数と売却依頼を依頼された数が、当該電子チケットの情報に基づいて設定された条件を満たす場合に販売を制限する
ことを特徴とする請求項１乃至７のいずれかに記載の電子チケット販売装置。
【請求項９】
前記販売部は、電子チケットの取引履歴を記憶する記憶手段に記憶されている第１の購入者の当該電子チケットの購入時刻を取得し、当該購入時刻からの経過期間が、当該電子チケットの情報に基づいて設定された条件を満たす場合に販売を制限する
ことを特徴とする請求項１乃至７のいずれかに記載の電子チケット販売装置。
【請求項１０】
前記販売部は、前記第２の購入者から前記電子チケットの購入要求を受け付けた場合に、前記認証装置に対して、当該電子チケットの有効性の認証を依頼し、当該電子チケットが有効であることを示す認証結果を取得した場合に販売を許可することを特徴とする請求項１乃至９のいずれかに記載の電子チケット販売装置。
【請求項１１】
少なくとも参加するイベントを特定する情報を含む電子チケットを売却するための売却依頼を、当該電子チケットを購入した第１の購入者から受け付ける売却依頼受付ステップと、
前記売却依頼を受け付けた以降に、前記電子チケットの使用を制御するための情報を、当該電子チケットを認証する認証装置に送信する無効化ステップと、
前記売却依頼を受け付けた以降に、前記電子チケットを購入する第２の購入者に対して、前記電子チケットを提示し、当該電子チケットが販売された場合に、前記電子チケットに関する情報を、前記第２の購入者に送信する販売ステップと、
前記電子チケットが販売された以降に、前記電子チケットの使用を可能とするための情報を、当該電子チケットを認証する認証装置に送信する有効化ステップと、
を含む電子チケット販売方法。
【請求項１２】
少なくとも参加するイベントを特定する情報を含む電子チケットを売却するための売却依頼を、当該電子チケットを購入した第１の購入者から受け付ける売却依頼受付工程と、
前記売却依頼を受け付けた以降に、前記電子チケットの使用を制限するための情報を、当該電子チケットを認証する認証装置に送信する無効化工程と、
前記売却依頼を受け付けた以降に、前記電子チケットを購入する第２の購入者に対して、前記電子チケットを提示し、当該電子チケットが販売された場合に、前記電子チケットに関する情報を、前記第２の購入者に送信する販売工程と、
前記電子チケットが販売された以降に、前記電子チケットの使用を可能とするための情報を、当該電子チケットを認証する認証装置に送信する有効化工程と、
をコンピュータに実行させるプログラム。
【発明の詳細な説明】
【技術分野】
【０００１】
本発明は、電子チケットを販売するシステムに関するものである。
【背景技術】
【０００２】
従来、何らかのイベントに参加するためのチケットとして、発行元または発行元の代行会社が紙媒体のチケットを販売している。このようなイベントのチケットは、イベントの人気が高いと、値段が高騰した場合には、そのチケットは、転売される可能性がある。そのような場合、高騰したチケットを購入した購入者は、発行元に不満を抱きがちであるとともに、不正な人間が不当に利益を得る可能性がある。そのため、近年では、そのような事態を防ぐべく、電子チケットという形で、チケットを販売するケースが増加している。特許文献１には、そのような電子チケットに関する発明が開示されている。
【先行技術文献】
【特許文献】
【０００３】
【特許文献１】特開２０１４−１４９５５６号公報
【発明の概要】
【発明が解決しようとする課題】
【０００４】
ところで、上述のような電子チケットの場合、購入した本人が突然の予定でイベントに参加できない場合には、電子チケットが無駄になる可能性がある。この問題は紙媒体のチケットにおいても同様の問題がある。また、イベントを開催する開催者としても客の入りが少なくなることで、イベントの盛り上がりが欠ける可能性があるという問題がある。また、紙媒体のチケットの場合には、チケットを買い占めて、ネットオークションなど不当に利益をせしめる行為を防止するのが困難であるという問題もある。
【０００５】
そこで、本発明は、上記問題に鑑みてなされたものであり、そのような無駄になる電子チケットを少なくすることができる二次電子チケット販売装置、二次電子チケット販売方法、二次電子チケット販売プログラムを提供することを目的とする。
【課題を解決するための手段】
【０００６】
上記課題を解決するために、本発明の一態様に係る電子チケット販売装置は、少なくとも参加するイベントを特定する情報を含む電子チケットを売却するための売却依頼を、当該電子チケットを購入した第１の購入者から受け付ける売却依頼受付部と、当該売却依頼を受け付けた以降に、当該電子チケットの使用を制限するための情報を、当該電子チケットを認証する認証装置に送信する無効化部と、当該売却依頼を受け付けた以降に、当該電子チケットを購入する第２の購入者に対して、当該電子チケットを提示し当該電子チケットが販売された場合に、当該電子チケットに関する情報を、当該第２の購入者に送信する販売部と、当該電子チケットが販売された以降に、当該電子チケットの使用を可能とするための情報を、当該電子チケットを認証する認証装置に送信する有効化部と、を含む。
【０００７】
上記構成により、本発明の一態様に係る電子チケット販売装置は、第１の購入者から電子チケットの売却依頼を受け付けた場合に、当該電子チケットの使用を不可とするため、売却依頼を受け付けた電子チケットの不正利用等を防止することができる。
【０００８】
本発明の一態様に係る電子チケット販売装置は、当該販売部は、当該電子チケットに関する情報が所定の条件を満たす場合に、当該電子チケットの販売を制限することを特徴とする。
【０００９】
上記構成により、本発明の一態様に係る電子チケット販売装置は、種々の条件に応じて電子チケットの販売を制限できるため、当該電子チケットの流通量をきめ細かく制御可能になるとともに、専ら電子チケットの転売を行う業者等による当該電子チケットの販売を制限できる。
【００１０】
本発明の一態様に係る電子チケット販売装置は、当該販売部は、当該電子チケットが他の電子チケットに対して相対的に優位な電子チケットである場合に、当該電子チケットの販売を制限することを特徴とする。
【００１１】
上記構成により、本発明の一態様に係る電子チケット販売装置は、他の電子チケットに比べて相対的に優位な電子チケットの流通量を制御でき、当該電子チケットを高額な値段で売ろうとする業者等の販売を制限でき、健全な電子チケットの流通に寄与できる。
【００１２】
本発明の一態様に係る電子チケット販売装置は、当該販売部は、当該電子チケットの入手可能性が低い場合に、当該電子チケットの販売を制限することを特徴とする。
【００１３】
上記構成により、本発明の一態様に係る電子チケット販売装置は、他の電子チケットに比べて電子チケットの入手可能性が低い場合に、当該電子チケットの流通量を制御できるようになり、当該電子チケットを高額な値段で売ろうとする業者等の販売を制限でき、健全な電子チケットの流通に寄与できる。
【００１４】
本発明の一態様に係る電子チケット販売装置は、当該販売部は、当該電子チケットの在庫数が想定在庫数よりも多い又は以上場合に、当該電子チケットの販売を制限することを特徴とする。
【００１５】
上記構成により、本発明の一態様に係る電子チケット販売装置は、電子チケットの再販売数を制限することにより、電子チケットの在庫数を管理することができるようになる。
【００１６】
本発明の一態様に係る電子チケット販売装置は、当該販売部は、当該第１の購入者に関する情報が所定の条件を満たす場合に、当該電子チケットの販売を制限することを特徴とする。
【００１７】
上記構成により、本発明の一態様に係る電子チケット販売装置は、第１購入者の属性等により当該第１購入者による電子チケットの再販売数を制限することにより、専ら電子チケットの転売を行う業者や電子チケットを高額な値段で売ろうとする業者等の販売を制限することができるようになる。
【００１８】
本発明の一態様に係る電子チケット販売装置は、当該売却依頼には、当該売却依頼を送信した端末を識別する識別情報が含まれており、当該売却依頼受付部は、電子チケットの取引履歴を記憶する記憶手段に記憶されている購入申込を送信した端末を識別する識別情報と当該売却依頼を送信した端末を識別する識別情報とを比較し、当該比較結果に応じた条件を満たした場合に当該売却依頼を受け付けることを特徴とする請求項１乃至６のいずれかに記載の電子チケット販売装置。
【００１９】
上記構成により、本発明の一態様に係る電子チケット販売装置は、電子チケットの取引履歴に基づいて電子チケットの再販売数を制限することにより、売却依頼を行った第１購入者の属性等に基づいて電子チケットの販売を制限することができるようになり、例えば、専ら電子チケットの転売を行う業者等や、電子チケットを高額な値段で売ろうとする業者等の販売を制限でき、健全な電子チケットの流通に寄与できる。
【００２０】
本発明の一態様に係る電子チケット販売装置は、当該販売部は、電子チケットの取引履歴を記憶する記憶手段に記憶されている第１の購入者の当該電子チケットの購入数と売却依頼を依頼された数が、当該電子チケットの情報に基づいて設定された条件を満たす場合に販売を制限することを特徴とする。
【００２１】
上記構成により、本発明の一態様に係る電子チケット販売装置は、電子チケットの取引履歴に基づいて電子チケットの再販売数を制限することにより、所定の第１購入者、例えば、専ら電子チケットの転売を行う業者や電子チケットを高額な値段で売ろうとする業者等の販売を制限することができるようになる。
【００２２】
本発明の一態様に係る電子チケット販売装置は、当該販売部は、電子チケットの取引履歴を記憶する記憶手段に記憶されている第１の購入者の当該電子チケットの購入時刻を取得し、当該購入時刻からの経過期間が、当該電子チケットの情報に基づいて設定された条件を満たす場合に販売を制限することを特徴とする。
【００２３】
上記構成により、本発明の一態様に係る電子チケット販売装置は、電子チケットを購入した直後に当該電子チケットを売却することなどを制限でき、電子チケットの購入直後に当該電子チケットを販売する業者など、専ら電子チケットの転売を行う業者による電子チケットの販売を制限することができるようになる。
【００２４】
本発明の一態様に係る電子チケット販売装置は、当該販売部は、当該第２の購入者から当該電子チケットの購入要求を受け付けた場合に、当該認証装置に対して、当該電子チケットの有効性の認証を依頼し、当該電子チケットが有効であることを示す認証結果を取得した場合に販売を許可することを特徴とする。
【００２５】
上記構成により、本発明の一態様に係る電子チケット販売装置は、第２の購入者が電子チケットを購入した際に、当該電子チケットが使用可能であるか否かを認証できるため、例えば、第１の購入者による売却手続きが完了していない場合などに誤って電子チケットを販売することを防止することができる。
【００２６】
本発明の一態様に係る電子チケット販売方法は、少なくとも参加するイベントを特定する情報を含む電子チケットを売却するための売却依頼を、当該電子チケットを購入した第１の購入者から受け付ける売却依頼受付ステップと、当該売却依頼を受け付けた以降に、当該電子チケットの使用を制限するための情報を、当該電子チケットを認証する認証装置に送信する無効化ステップと、当該売却依頼を受け付けた以降に、当該電子チケットを購入する第２の購入者に対して、当該電子チケットを提示し当該電子チケットが販売された場合に、当該電子チケットに関する情報を、当該第２の購入者に送信する販売ステップと、当該電子チケットが販売された以降に、当該電子チケットの使用を可能とするための情報を、当該電子チケットを認証する認証装置に送信する有効化ステップと、を含む。
【００２７】
本発明の一態様に係るプログラムは、少なくとも参加するイベントを特定する情報を含む電子チケットを売却するための売却依頼を、当該電子チケットを購入した第１の購入者から受け付ける売却依頼受付工程と、当該売却依頼を受け付けた以降に、当該電子チケットの使用を制限するための情報を、当該電子チケットを認証する認証装置に送信する無効化工程と、当該売却依頼を受け付けた以降に、当該電子チケットを購入する第２の購入者に対して、当該電子チケットを提示し、当該電子チケットが販売された場合に、当該電子チケットに関する情報を、当該第２の購入者に送信する販売工程と、当該電子チケットが販売された以降に、当該電子チケットの使用を可能とするための情報を、当該電子チケットを認証する認証装置に送信する有効化工程と、をコンピュータに実行させる。
【発明の効果】
【００２８】
本発明の一態様に係る電子チケット販売装置、電子チケット販売方法、電子チケット販売プログラムは、イベントの開催元から発行された一次電子チケットの購入者が当該一次電子チケットを二次電子チケットとして販売することができる。また、一次電子チケットの購入者が当該一次電子チケットを二次電子チケットとして転売しようとした場合には、元の一次電子チケットを無効化することができるので、複数のユーザが同じチケットを保持して、イベントに参加するなどの不正行為を防ぐことができる。
【図面の簡単な説明】
【００２９】
【図１】実施の形態に係る二次電子チケット販売システムのシステム構成を示すシステム図である。
【図２】実施の形態に係る二次電子チケット販売装置の機能構成例を示すブロック図である。
【図３】実施の形態に係る一次電子チケット販売装置の機能構成例を示すブロック図である。
【図４】実施の形態に係る認証装置の機能構成例を示すブロック図である。
【図５】実施の形態に係るユーザ端末の機能構成例を示すブロック図である。
【図６】一次電子チケット販売装置が保持する一次電子チケット情報のデータ構成例を示すデータ概念図である。
【図７】二次電子チケット販売装置が保持する二次電子チケット情報のデータ構成例を示すデータ概念図である。
【図８】認証装置が保持する認証情報のデータ構成例を示すデータ概念図である。
【図９】二次電子チケットの販売に係る各装置間のやり取りを示すシーケンス図である。
【図１０】電子チケットを利用したイベント会場の入場に係る認証に係るユーザ端末と認証装置間のやり取りを示すシーケンス図である。
【図１１】ユーザ端末の一次電子チケットの購入及び売却に係る動作を示すフローチャートである。
【図１２】ユーザ端末の二次電子チケットの購入に係る動作を示すフローチャートである。
【図１３】一次電子チケット販売装置の販売に係る動作を示すフローチャートである。
【図１４】二次電子チケット販売装置の販売に係る動作を示すフローチャートである。
【図１５】認証装置の認証に係る動作を示すフローチャートである。
【図１６】（ａ）ユーザ端末に表示される一次電子チケットの表示例である。（ｂ）ユーザ端末に表示される二次電子チケットの表示例である。
【図１７】ユーザ端末に表示される二次電子チケットの入場におけるもぎりの例を示す図である。
【図１８】二次電子チケット販売装置の一構成例を示すブロック図である。
【図１９】（ａ）ユーザ端末に表示される二次電子チケットの表示例である。（ｂ）複数の二次電子チケットを購入した場合の使用例を示す表示例である。
【図２０】本発明の第２の実施形態における記憶部１０２が記憶する一次電子チケットデータベース１２０の構成例である。
【図２１】本発明の第２の実施形態における認証装置３００の記憶部３０２に記憶されている認証情報３１０の構成例を示す図である。
【図２２】本発明の第２の実施形態における二次電子チケット販売装置１００の動作例を示すフローチャートである。
【図２３】本発明の第４の実施形態における二次電子チケット販売装置の動作例を示すフローチャートである。
【発明を実施するための形態】
【００３０】
＜第１の実施形態＞
＜構成＞
【００３１】
図１は、第１の実施形態に係る二次電子チケット販売システムの構成を示すシステム図である。
【００３２】
本願発明において一次電子チケットとは、再販売された電子チケット以外の電子チケットのことである。一次電子チケットは、例えば、イベントへの参加を希望するユーザが、イベントの主催者などから直接取得した電子チケットや当該イベントの主催者などから委託を受けた代理店や一次電子チケット販売サービスなどから直接取得した電子チケットなどである。
【００３３】
本願発明において二次電子チケットとは、上記一次電子チケットが再販売される電子チケットのことである。二次電子チケットは、例えば、イベントへの参加を希望するユーザが取得した一次電子チケットを、当該ユーザ自身が他のユーザに対して直接再販売する電子チケットや当該ユーザからの委託を受けて電子チケットを再販売する代理店や二次電子チケット販売サービスなどで再販売する電子チケットのことである。
【００３４】
図１に示すように、二次電子チケット販売システムは、二次電子チケット販売装置１００を含む。二次電子チケット販売装置１００は、一次電子チケット販売装置２００や、イベントにおいて電子チケットの認証を行う認証装置３００、電子チケットを購入又は売却するユーザ端末４００、４１０とネットワーク５００を介して通信を行って、二次電子チケットの販売を行う。二次電子チケットとは、イベント等に参加するための権利を示すチケットであって、一度、イベント等を開催する主催者からチケットの販売を委託された一次電子チケット販売装置２００から販売された一次電子チケットを購入したユーザが、イベントに参加できなくなったために、当該一次電子チケットを売却したものを、再度、他のユーザに販売する電子チケットである。また、一次電子チケットとは、イベント等の主催者あるいは主催者が委託した委託業者が最初に販売するイベントに参加するための電子チケットのことをいう。
【００３５】
二次電子チケット販売装置１００は、一次電子チケット販売装置２００が販売した一次電子チケットを購入したユーザ端末４００ａから、二次電子チケットとして販売される一次電子チケットの売却依頼を受け、当該一次電子チケットに係るイベントへの参加を希望する他のユーザのユーザ端末４００ｂに、二次電子チケットとして電子チケット販売する。当該販売は、イベント等の主催者からの許諾を得て行われる。
【００３６】
一次電子チケット販売装置２００は、イベント等の主催者から、イベントへの参加権である一次電子チケットの販売を行う。
【００３７】
認証装置３００は、イベント等の開場等に設けられるものであって、ユーザ端末が保持する一次電子チケット、あるいは、二次電子チケットの認証を行って、ユーザがイベントに参加できるか否かを判定する。
【００３８】
なお、本実施の形態においては、内容をわかりやすくするために、料金の支払いについて各装置からの他の装置に行う形で記載するが、実際には、対応する銀行等の口座間でのやり取りになる。また、図１に示したシステムにおいて、各装置間の通信は、他の装置、例えば、通信を中継する中継装置等を介在して行われることとしてもよい。以下、各装置の詳細について説明する。
【００３９】
図２は、二次電子チケット販売装置１００の一構成例を示すブロック図である。二次電子チケット販売装置１００は、例えば、ＰＣやサーバ装置などのコンピュータにより実現することができる。図２に示すように、二次電子チケット販売装置１００は、通信部１０１と、記憶部１０２と、制御部１０３とから構成される。
【００４０】
通信部１０１は、ネットワーク５００を介して、他の装置と通信を実行する機能を有する通信ユニットである。ここでいう他の装置は、一次電子チケット販売装置２００、認証装置３００、ユーザ端末４００ａ、４００ｂ等を含む。通信部１０１は、ネットワーク５００を介して、他の装置と通信が実行できれば、どのような通信規格で通信を実行してもよく、無線通信、有線通信のいずれで実行してもよい。通信部１０１は、ユーザ端末４００ａから受信する二次電子チケットとして販売される一次電子チケットの売却依頼や、ユーザ端末４００ｂから受け付ける二次電子チケットの購買依頼を、制御部１０３に伝達する。また、制御部１０３から伝達された二次電子チケットをユーザ端末４００ｂに送信したり、制御部１０３から伝達された一次電子チケットの無効化依頼を一次電子チケット販売装置２００に送信したり、二次電子チケットの登録依頼を認証装置３００に送信したりする。なお、二次電子チケットをユーザ端末４００ｂに送信することに換えて、二次電子チケットのダウンロード先のウェブサイトへのアクセスリンクを送信する構成としてもよい。いずれの場合においても、二次電子チケットに関する情報を送受信（送信又は受信）する構成になっていると言える。また、本明細書において、二次電子チケットの送受信や一次電子チケットの送受信は、より厳密にいえば、二次電子チケットに関する情報の送信又は受信、一次電子チケットに関する情報の送受又は受信になるが、簡略化のために、二次電子チケットの送信又は受信、一次電子チケットの送信又は受信という形で記載する。
【００４１】
記憶部１０２は、二次電子チケット販売装置１００が動作上必要とする各種プログラムやデータを記憶する機能を有する記録媒体である。記憶部１０２は、例えば、ＨＤＤ（Hard Disc Drive）、ＳＳＤ（Solid State Drive）、フラッシュメモリ等の記録媒体により実現できる。記憶部１０２は、二次電子チケットデータベース１１０を記憶する。二次電子チケットデータベース１１０は、一次電子チケットを購入した購入者と、二次電子チケットを購入した購入者との関連付けを行うデータベースである。二次電子チケットデータベース１１０の詳細については後述する。
【００４２】
制御部１０３は、二次電子チケット販売装置１００の各部を制御する機能を有するプロセッサである。制御部１０３は、記憶部１０２に記憶されているプログラムを実行して、二次電子チケットの販売処理を行う。制御部１０３は、二次電子チケットを販売するため、並びに、電子チケットの買い取りを受け付けるためのウェブサイト（以下、二次電子チケット販売サイト）を管理する。制御部１０３は、通信部１０１から、一次電子チケットの販売依頼を伝達された場合に、当該一次電子チケットに係るイベントについての二次電子チケットを販売する旨を販売サイトに掲示する。そして、一次電子チケットの情報（電子チケットＩＤ、二次電子チケットとして販売される一次電子チケットの売却依頼を行ったユーザ端末の機器ＩＤ、及びユーザ名）を、二次電子チケットデータベース１１０に登録する。また、制御部１０３は、通信部１０１から、二次電子チケットの購入依頼を伝達された場合に、当該購入依頼を行ったユーザ端末から二次電子チケットの代金の入金があると、一次電子チケット販売装置２００に、売却された二次電子チケットに対応する一次電子チケットの無効化依頼を通信部１０１に送信させ、認証装置３００に、二次電子チケットの登録依頼を通信部１０１に伝達する。また、二次電子チケットを購入したユーザ端末のＩＤ並びにユーザの情報を二次電子チケットデータベース１１０に登録する。そして、制御部１０３は、二次電子チケットの販売に係る利益から、販売した二次電子チケットに対応する一次電子チケットを売却したユーザ端末に売却利益を支払う。また、制御部１０３は、二次電子チケットの販売に係る利益から、一次電子チケット販売装置２００もしくはイベントの主催者に、利益の一部を支払う。また、制御部１０３は、二次電子チケットを販売する際に、二次電子チケットの表示情報を生成してもよい。二次電子チケットの表示情報は、オペレータが指定した絵柄に売却された一次電子チケットが対応するイベントに関する情報を埋め込む形で生成してもよいし、予め記憶部１０２に二次電子チケットの表示情報のテンプレートを記憶しておき、当該テンプレートに売却された一次電子チケットが対応するイベントに関する情報を埋め込んで生成することとしてもよい。また、ユーザ端末側で二次電子チケットの表示情報を生成する場合であって、テンプレートが複数ある場合には、制御部１０３は、どのテンプレートを使用するのかを二次電子チケットを購入したユーザ端末に、通信部１０１を介して指定することとしてもよい。
【００４３】
以上が二次電子チケット販売装置１００の構成である。
【００４４】
図３は、一次電子チケット販売装置２００の一構成例を示すブロック図である。一次電子チケット販売装置２００は、例えば、ＰＣやサーバ装置などのコンピュータにより実現することができる。図３に示すように、一次電子チケット販売装置２００は、通信部２０１と、記憶部２０２と、制御部２０３とから構成される。
【００４５】
通信部２０１は、ネットワーク５００を介して、他の装置と通信を実行する機能を有する通信ユニットである。ここでいう他の装置は、二次電子チケット販売装置１００、認証装置３００、ユーザ端末４００ａ、４００ｂ等を含む。通信部２０１は、ネットワーク５００を介して、他の装置と通信が実行できれば、どのような通信規格で通信を実行してもよく、無線通信、有線通信のいずれで実行してもよい。通信部２０１は、ユーザ端末４００ａから受信する一次電子チケットの購入依頼や、二次電子チケット販売装置１００から受信する一次電子チケットの無効化依頼を、制御部２０３に伝達する。また、制御部２０３から伝達された、一次電子チケットを、当該一次電子チケットを購入したユーザ端末に送信したり、一次電子チケット情報（一次電子チケットＩＤ、購入したユーザ端末の機器ＩＤ、購入者情報）の登録依頼を認証装置３００に送信したり、一次電子チケットの削除依頼を認証装置３００に送信したりする。
【００４６】
記憶部２０２は、一次電子チケット販売装置２００が動作上必要とする各種プログラムやデータを記憶する機能を有する記録媒体である。記憶部２０２は、例えば、ＨＤＤ（Hard Disc Drive）、ＳＳＤ（Solid State Drive）、フラッシュメモリ等の記録媒体により実現できる。記憶部２０２は、一次電子チケットデータベース２１０を記憶する。一次電子チケットデータベース２１０は、一次電子チケットを購入した購入者と、当該購入者が購入に用いた機器のＩＤと、一次電子チケットが有効であるか否かの関連を示すデータベースである。一次電子チケットデータベース２１０の詳細については後述する。
【００４７】
制御部２０３は、一次電子チケット販売装置２００の各部を制御する機能を有するプロセッサである。制御部２０３は、記憶部２０２に記憶されているプログラムを実行して、一次電子チケットの販売処理を行う。制御部２０３は、一次電子チケットを販売するためのウェブサイト（以下、一次電子チケット販売サイト）を管理する。制御部２０３は、通信部２０１から、一次電子チケットの購入依頼を伝達された場合であって、当該購入依頼を行ったユーザ端末から一次電子チケットの代金の入金があると、一次電子チケットを購入したユーザ端末のＩＤ並びにユーザの情報を一次電子チケットデータベース２１０に登録する。また、制御部２０３は、通信部２０１から、一次電子チケットの無効化依頼を伝達されると、一次電子チケットデータベース２１０において、当該一次電子チケットのＩＤに対応する有効フラグを無効化する。そして、制御部２０３は、通信部２０１に、対応する一次電子チケットの削除依頼を認証装置３００に送信させる。
【００４８】
以上が、一次電子チケット販売装置２００の構成である。
【００４９】
図４は、認証装置３００の一構成例を示すブロック図である。認証装置３００は、例えば、ＰＣやサーバ装置などのコンピュータにより実現することができる。図４に示すように、認証装置３００は、通信部３０１と、記憶部３０２と、報知部３０３と、制御部３０４とから構成される。
【００５０】
通信部３０１は、ネットワーク５００を介して、他の装置と通信を実行する機能を有する通信ユニットである。ここでいう他の装置は、二次電子チケット販売装置１００、一次電子チケット販売装置２００、ユーザ端末４００ａ、４００ｂを含む。通信部３０１は、ネットワーク５００を介して、他の装置と通信が実行できれば、どのような通信規格で通信を実行してもよく、無線通信、有線通信のいずれで実行してもよい。通信部３０１は、一次電子チケット販売装置２００から送信された一次電子チケット情報（一次電子チケットＩＤと、購入者情報と、購入したユーザ端末ＩＤ）や、一次電子チケット販売装置２００から送信された一次電子チケットの削除依頼や、二次電子チケット販売装置１００から送信された二次電子チケット情報（電子チケットＩＤと、購入者情報と、購入したユーザ端末ＩＤ）などを受信して、制御部３０４に伝達する。また、通信部３０１は、イベント時に、ユーザ端末から、電子チケットＩＤと、機器ＩＤと、ユーザ名とを含む認証依頼を受信して、制御部３０４に伝達する。
【００５１】
記憶部３０２は、認証装置３００が動作上必要とする各種プログラムやデータを記憶する機能を有する記録媒体である。記憶部３０２は、例えば、ＨＤＤ（Hard Disc Drive）、ＳＳＤ（Solid State Drive）、フラッシュメモリ等の記録媒体により実現できる。記憶部３０２は、認証情報３１０を記憶する。認証情報３１０は、電子チケットＩＤと、権利を有する機器ＩＤと、ユーザ名とが対応付けられた情報である。認証情報３１０の詳細については、後述する。
【００５２】
報知部３０３は、制御部３０４からの指示に従って、認証の結果を報知する機能を有する。報知部３０３は、認証の結果に応じて、認証成功または認証失敗と報知するものであり、認証に成功すればイベントに参加する正当な権利を有することを意味する。報知部３０３は、例えば、イベント会場等に設置された文字により認証結果を報知するモニタや、音声により認証結果を報知するスピーカや、認証成功の場合に緑に点灯し、認証失敗の場合に赤に点灯するランプ等により実現できる。
【００５３】
制御部３０４は、認証装置３００の各部を制御する機能を有するプロセッサである。制御部３０４は、記憶部３０２に記憶されているプログラムを実行して、電子チケットの認証処理を行う。制御部３０４は、通信部４０１から、一次電子チケット販売装置２００からの一次電子チケット情報を受け取ると、一次電子チケット情報に含まれる電子チケットＩＤと、機器ＩＤと、購入者情報とを、記憶部３０２の認証情報３１０に記録する。また、制御部３０４は、通信部４０１から、一次電子チケット販売装置２００からの一次電子チケット削除指示を受け取ると、一次電子チケット削除指示に含まれる電子チケットＩＤに対応する機器ＩＤと、購入者情報とを、認証情報３１０から削除する。また、制御部３０４は、通信部４０１から、二次電子チケット販売装置１００からの二次電子チケット情報を受け取ると、二次電子チケット情報に含まれる機器ＩＤと、購入者情報とを、二次電子チケット情報に含まれる電子チケットＩＤに対応するように、認証情報３１０に登録する。また、制御部３０４は、通信部４０１から、ユーザ端末４００からの認証依頼を受け取ると、当該認証依頼に含まれる電子チケットＩＤと、機器ＩＤと、ユーザ名との組み合わせが認証情報３１０に登録されているか否かを判定する。登録されている場合には、制御部３０４は、報知部３０３に認証成功を報知させ、登録されていなかった場合には、制御部３０４は、報知部３０３に認証失敗を報知させる。
【００５４】
以上が、認証装置３００の構成である。
【００５５】
図５は、ユーザ端末４００ａ、４００ｂの一構成例を示すブロック図である。双方共に基本的な構成に差異はないので、ここでは、まとめて、ユーザ端末４００として説明する。ユーザ端末４００は、例えば、携帯電話、スマートフォンなどに代表される各種携帯端末により実現できる。図５に示すように、ユーザ端末４００は、通信部４０１と、入力受付部４０２と、表示部４０３と、記憶部４０４と、制御部４０５とから構成される。
【００５６】
通信部４０１は、ネットワーク５００を介して、他の装置と通信を実行する機能を有する通信ユニットである。ここでいう他の装置は、二次電子チケット販売装置１００、一次電子チケット販売装置２００、認証装置３００を含む。通信部３０１は、ネットワーク５００を介して、他の装置と通信が実行できれば、どのような通信規格で通信を実行してもよく、無線通信、有線通信のいずれで実行してもよい。通信部４０１は、制御部４０５からの指示に従って、ネットワーク５００を介して、一次電子チケット販売装置２００が提供する一次電子チケット販売サイトや、二次電子チケット販売装置１００が提供する二次電子チケット販売サイトにアクセスする。そして、アクセスして得たサイトの表示情報を制御部４０５に伝達する。また、通信部４０１は、一次電子チケット販売装置２００から購入した一次電子チケットを受信して、制御部４０５に伝達したり、二次電子チケット販売装置１００から購入した二次電子チケットを購入して制御部４０５に伝達したりする。また、一次電子チケットの販売を二次電子チケット販売装置１００に依頼している場合であって、当該一次電子チケットを他のユーザが購入したときには、二次電子チケット販売装置１００から一次電子チケットの売却報告を受信して、制御部４０５に伝達する。
【００５７】
また、通信部４０１は、制御部４０５からの指示に従って、一次電子チケット販売装置２００に、一次電子チケットの購入依頼を送信したり、二次電子チケット販売装置１００に、二次電子チケットとして販売される一次電子チケットの売却依頼を送信したり、二次電子チケットの購入依頼を送信したりする。また、通信部４０１は、イベント会場等において、電子チケットが切られた場合に、制御部４０５からの指示に従って、当該電子チケットのＩＤと、自機の機器ＩＤと、ユーザ端末を有するユーザのユーザ名とを含む認証依頼を認証装置３００に送信する。
【００５８】
入力受付部４０２は、ユーザ端末４００を保持するユーザからの入力を受け付ける機能を有する入力機器である。入力受付部４０２は、例えば、ユーザ端末に備えられたタッチパネルやタッチパッド等を利用したソフトキーやハードウェアキーにより実現できる。入力受付部４０２は、受け付けた入力内容を制御部４０５に伝達する。ここでは、入力受付部４０２は、一次電子チケットの購入指示や、一次電子チケットの売却指示、二次電子チケットの購入指示、表示されている電子チケットを切る入力指示などを受け付ける。
【００５９】
表示部４０３は、制御部４０５から指示された表示情報を表示する機能を有するモニタである。表示部４０３は、例えば、ＬＥＤディスプレイ、ＬＣＤ（Liquid Crystal Display）、プラズマディスプレイ、タッチパネルなどにより実現される。表示部４０３は、一次電子チケット販売サイトや二次電子チケット販売サイトに係る表示情報を表示したり、購入した一次電子チケットあるいは二次電子チケットを表示したりする。表示部４０３は、入力受付部４０２と併せてタッチパネルにより実現されてもよい。
【００６０】
記憶部４０４は、ユーザ端末４００が動作上必要とする各種プログラムやデータを記憶する機能を有する記録媒体である。記憶部４０４は、例えば、ＨＤＤ（Hard Disc Drive）、ＳＳＤ（Solid State Drive）、フラッシュメモリ等の記録媒体により実現できる。記憶部４０４は、購入した電子チケットの電子チケットＩＤと、自機の機器ＩＤと、自機を保持するユーザのユーザ名を記憶する。また、記憶部４０４は、購入した電子チケットの表示情報を記憶する。
【００６１】
制御部４０５は、ユーザ端末４００の各部を制御する機能を有するプロセッサである。制御部４０５は、記憶部４０４に記憶されているプログラムを実行して、電子チケットの購入依頼、売買依頼、表示処理、認証依頼を行う。制御部４０５は、入力受付部４０２から受け付けた入力指示に従って、通信部４０１を介して、一次電子チケット販売サイトや二次電子チケット販売サイトにアクセスして、当該サイトに係る情報を表示部４０３に表示させる。また、制御部４０５は、入力受付部４０２から受け付けたユーザ入力に従って、一次電子チケットの購入依頼を生成して、通信部４０１を介して、一次電子チケット販売装置２００に送信する。また、制御部４０５は、入力受付部４０２から受け付けたユーザ入力に従って、二次電子チケットとして販売される一次電子チケットの売却依頼を生成して、通信部４０１を介して、二次電子チケット販売装置１００に送信する。また、制御部４０５は、入力受付部４０２から受け付けたユーザ入力に従って、二次電子チケットの購入依頼を生成して、通信部４０１を介して、二次電子チケット販売装置１００に送信する。また、制御部４０５は、入力受付部４０２から受け付けたユーザ入力に従って、イベント会場等において購入した電子チケットを記憶部４０４から読み出して、表示部４０３に表示させる。そして、イベント会場のスタッフにより表示された電子チケットが切られた場合に、切られた電子チケットの電子チケットＩＤ、自機の機器ＩＤ、自機のユーザのユーザ名を含む認証依頼を生成して、通信部４０１を介して、認証装置３００に送信する。また、制御部４０５は、購入した一次電子チケットや一次電子チケットとは表示態様を異にした二次電子チケットを表示部４０３に表示させる。制御部４０５は、二次電子チケット販売装置１００から受け取った二次電子チケットを表示部４０３に表示させることとしてもよいし、制御部４０５が生成した二次電子チケット表示情報を表示部４０３に表示させることとしてもよい。制御部４０５が二次電子チケット表示情報を生成する場合には、記憶部４０４に予め二次電子チケット表示情報のテンプレートを記憶しておき、当該テンプレートに購入した二次電子チケットに関する情報（例えば、イベントの開催日時やチケットＩＤなど）を埋め込んで生成することにより実現できる。記憶部４０４は、テンプレートを複数記憶しておき、二次電子チケット販売装置１００は、どのテンプレートを使用するかを指定できてもよい。
【００６２】
以上が、ユーザ端末４００の構成である。
【００６３】
＜データ＞
ここから、本実施の形態に係る二次電子チケット販売システムにおいて用いられる各種データについて説明する。
【００６４】
図６は、一次電子チケット販売装置２００が保持する一次電子チケットデータベース２１０のデータ構成例を示すデータ概念図である。図６に示すように、一次電子チケットデータベース２１０は、一次電子チケットＩＤ２１１と、購入機器ＩＤ２１２と、購入者名２１３と、有効フラグ２１４とが対応付けられて構成されている。
【００６５】
一次電子チケットＩＤ２１１は、イベントに参加する権利である一次電子チケットを識別するための識別情報である。
【００６６】
購入機器ＩＤ２１２は、対応する一次電子チケットを購入したユーザのユーザ端末を特定するための識別情報である。購入機器ＩＤ２１２としては、例えば、ユーザ端末の固有製造番号や、ＭＡＣアドレスなどを用いてもよい。
【００６７】
購入者名２１３は、対応する一次電子チケットを購入したユーザの名前を示す情報であり、ユーザ端末に登録されているユーザ名を用いて登録された情報である。
【００６８】
有効フラグ２１４は、対応する一次電子チケットが有効か無効かを示す情報である。ここでは、「１」の場合に有効であり、「０」の場合に無効であるとしているが、有効か無効かを区別できればその他の形態をとってもよい。有効フラグ２１４は、一次電子チケットを購入したユーザが、当該一次電子チケットの売却を二次電子チケット販売装置１００に依頼し、他のユーザがその一次電子チケットに対応する二次電子チケットを購入すると、無効になる。
【００６９】
なお、有効フラグは、一次電子チケットが有効か無効かを区別できれば、どのような形態をとってもよい。例えば、有効フラグは、有効の場合に「１」を、無効の場合に「２」を、一時停止の場合に「３」を設定する形態であってもよい。
【００７０】
図７は、二次電子チケット販売装置１００が保持する二次電子チケットデータベース１１０のデータ構成例を示すデータ概念図である。図７に示すように、二次電子チケットデータベース１１０は、二次電子チケットＩＤ１１１と、売却機器ＩＤ１１２と、一次購入者名１１３と、購入機器ＩＤ１１４と、二次購入者名１１５とが対応付けられて構成されている。
【００７１】
二次電子チケットＩＤは、イベントに参加する権利である二次電子チケットを識別するための識別情報である、当該二次電子チケットＩＤは、一次電子チケットの売却が依頼されると、二次電子チケット販売装置１００の制御部１０３により生成されるものである。ここでは、わかりやすくするために、一次電子チケットと同じＩＤを用いるものとするが、別のＩＤを用いてもよい。その場合には、二次電子チケットデータベース１１０には、更に、一次電子チケットの電子チケットＩＤの情報も対応付ける。
【００７２】
売却機器ＩＤ１１２は、対応する二次電子チケットの元となる一次電子チケットを売却したユーザ端末を識別するための識別情報である。
【００７３】
一次購入者名１１３は、対応する二次電子チケットを売却したユーザの名前の情報である。一次購入者名１１３は、対応する売却機器ＩＤ１１２で示されるユーザ端末に記憶されているユーザ名に基づいて登録される。
【００７４】
購入機器ＩＤ１１４は、対応する二次電子チケットを購入したユーザのユーザ端末を識別するための識別情報である。
【００７５】
二次購入者名１１５は、対応する二次電子チケット購入したユーザの名前の情報である。二次購入者名１１５は、対応する購入機器ＩＤ１１４で示されるユーザ端末に記憶されているユーザ名に基づいて登録される。
【００７６】
二次電子チケットは、売却依頼がされた一次電子チケットの数だけ生成される。ただし、二次電子チケットが売れなかった場合には、元の一次電子チケットが有効となったままになる。
【００７７】
図８は、認証装置３００が保持する認証情報３１０のデータ構成例を示すデータ概念図である。図８に示すように、認証情報３１０は、チケットＩＤ３１１と、有効機器ＩＤ３１２と、権利者名３１３とが対応付けられた情報である。
【００７８】
チケットＩＤ３１１は、イベントに参加可能な電子チケットを識別する識別情報である。チケットＩＤ３１１の一つ一つは、一次電子チケットまたは二次電子チケットのいずれかのＩＤである。
【００７９】
有効機器ＩＤ３１２は、対応する電子チケットを保持しているはずのユーザ端末を識別するための識別情報である。
【００８０】
権利者名３１３は、対応する電子チケットを保持しているはずのユーザ端末を保持するユーザの名前を示す情報である。
【００８１】
当該情報を保持していることにより、認証装置３００は、イベントの際の認証を行って、電子チケットの正当性を判断することができる。
【００８２】
＜動作＞
本実施の形態に係る二次電子チケット販売システムの動作を説明する。
【００８３】
図９は、ユーザ端末４００ａが一次電子チケットを購入し、これを売却して、ユーザ端末４００ｂが二次電子チケットとして購入するまでの流れを示すシーケンス図である。
【００８４】
ユーザ端末４００ａは、イベント等の開催の告知がされている一次電子チケット販売装置２００が提供する一次電子チケット販売サイトにアクセスして、ユーザに情報を提供する。ユーザは一次電子チケット販売サイトを見て、参加したいイベントがある場合に、チケットの購入を入力する。すると、ユーザ端末４００ａは、一次電子チケットの購入依頼を一次電子チケット販売装置２００に送信する（ステップＳ９０１）。当該一次電子チケットの購入依頼には、どのイベントのチケットかを指定する一次電子チケットの指定情報、ユーザ端末４００ａの機器ＩＤ並びにユーザ名が含まれる。
【００８５】
そして、ユーザ端末４００ａは、一次電子チケット販売装置２００に対して、購入した一次電子チケットの料金の支払いを行う（ステップＳ９０２）。
【００８６】
すると、一次電子チケット販売装置２００は、一次電子チケットの購入依頼に含まれている機器ＩＤと、ユーザ名と、購入された一次電子チケットのチケットＩＤとを含む情報登録依頼を認証装置３００に送信する（ステップＳ９０３）。
【００８７】
これを受けて、認証装置３００は、受信した情報を認証情報に登録する（ステップＳ９０４）。
【００８８】
一次電子チケット販売装置２００は、ユーザ端末４００ａから一次電子チケットの料金を受領すると、購入された一次電子チケットの情報を配布（送信）する（ステップＳ９０５）。
【００８９】
ユーザ端末４００ａのユーザＡは、イベントに参加するための一次電子チケットを購入したものの何らかの事情によりイベントに参加できなくなったとする。すると、ユーザＡは、ユーザ端末４００ａを用いて、二次電子チケット販売装置１００が提供する二次電子チケット販売サイトにアクセスし、保持している二次電子チケットとして販売される一次電子チケットの売却依頼を行う（ステップＳ９０６）。当該売却依頼には、ユーザ端末４００ａが保持している一次電子チケットのチケットＩＤ、ユーザ端末４００ａの機器ＩＤ、ユーザ端末４００ａが保持するユーザ名が含まれる。
【００９０】
二次電子チケット販売装置１００は、二次電子チケットとして販売される一次電子チケットの売却依頼を受けて、当該一次電子チケットに対応する二次電子チケットを生成するとともに、二次電子チケットの販売告知情報を、提供している二次電子チケット販売サイトに公開する。
【００９１】
一方、ユーザＡが売却依頼した一次電子チケットに対応するイベントに参加したいと思いつつも、チケットの購入を逃したユーザ端末４００ｂのユーザＢは、ユーザ端末４００ｂを用いて、二次電子チケット販売サイト１００が提供する二次電子チケット販売サイトにアクセスする。そして、所望のイベントの二次電子チケットが販売されていることを発見する。
【００９２】
すると、ユーザＢは、ユーザ端末４００ｂを用いて、二次電子チケット販売装置１００に対して、二次電子チケットの購入依頼を行う（ステップＳ９０７）。当該二次電子チケットの購入依頼には、どのイベントのチケットかを指定する二次電子チケットの指定情報、ユーザ端末４００ｂの機器ＩＤ、ユーザ端末４００ｂに保持されているユーザ名が含まれる。
【００９３】
そして、ユーザ端末４００ｂは、二次電子チケット販売装置１００に対して、二次電子チケットの料金を支払う（ステップＳ９０８）。
【００９４】
料金の支払いを受け付けた二次電子チケット販売装置１００は、購入された二次電子チケットの二次電子チケット販売サイトにおける公開を停止する。そして、二次電子チケット販売装置１００は、購入された二次電子チケットに対応する一次電子チケットの無効化依頼を一次電子チケット販売装置２００に依頼する（ステップＳ９０９）。当該無効化依頼には、無効化する一次電子チケットのチケットＩＤが含まれる。
【００９５】
無効化依頼を受け付けた一次電子チケット販売装置２００は、当該無効化依頼に含まれるチケットＩＤに対応する一次電子チケットを無効化する。そして、一次電子チケット販売装置２００は、一次電子チケットの情報の削除依頼を、認証装置３００に対して行う（ステップＳ９１０）。当該削除依頼には、情報を削除する一次電子チケットのチケットＩＤが含まれる。
【００９６】
削除依頼を受け付けた認証装置３００は、削除依頼に含まれるチケットＩＤに対応する情報を認証情報３１０から削除する（ステップＳ９１１）。
【００９７】
一方、二次電子チケット販売装置１００は、一次電子チケットの無効化依頼を行うと、二次電子チケットを購入したユーザに係る情報の登録依頼を認証装置３００に対して行う（ステップＳ９１２）。当該登録依頼には、二次電子チケットのチケットＩＤ、ユーザ端末４００ｂの機器ＩＤ、ユーザ端末４００ｂに記憶されていたユーザＢのユーザ名とが含まれる。内容を分かりやすくするために二次電子チケットのチケットＩＤは、一次電子チケットＩＤと同じＩＤであるとする。
【００９８】
情報登録依頼を受け付けた認証装置３００は、当該情報登録依頼に含まれるチケットＩＤに対応付けて、ユーザ端末４００ｂの機器ＩＤとユーザ名とを認証情報３１０に登録する（ステップＳ９１３）。
【００９９】
二次電子チケット販売装置１００は、ユーザ端末４００ｂに対して、二次電子チケットを配布（送信）する（ステップＳ９１４）。
【０１００】
そして、二次電子チケット販売装置１００は、ユーザ端末４００ａに対して、一次電子チケットを売却したことを通知するとともに、売却料金を支払う（ステップＳ９１５）。
【０１０１】
そして、二次電子チケット販売装置１００は、一次電子チケット販売装置２００に対して売上金の一部を、支払う（ステップＳ９１６）。
【０１０２】
これが、二次電子チケット販売システムにおける、二次電子チケットが売却される流れである。
【０１０３】
図１０は、イベント会場において、ユーザ端末と、認証装置３００との間のやり取りを示すシーケンス図である。当該やり取りは、一次電子チケットと、二次電子チケットとの場合で、共通する。
【０１０４】
ユーザ端末４００を保持するユーザは、イベントのフロントで、イベントスタッフに、ユーザ端末４００に記憶されている電子チケットを提示する（ステップＳ１００１）。
【０１０５】
提示された電子チケットを見たイベントスタッフは、もぎり処理、すなわち、ユーザ端末４００に表示された電子チケットからチケットを切りとる操作を行う（ステップＳ１００２）。
【０１０６】
すると、ユーザ端末４００は、切り取られた電子チケットのチケットＩＤと、ユーザ端末４００の機器ＩＤと、ユーザ端末４００に保持されているユーザ名とを含む認証依頼を認証装置３００に送信する（ステップＳ１００３）。
【０１０７】
認証装置３００は、受信した認証依頼に含まれる各情報と、保持している認証情報３１０とを用いて、認証を行う（ステップＳ１００４）。
【０１０８】
そして、認証装置３００は、認証結果を報知する（ステップＳ１００５）。認証に成功した場合には、ユーザ端末４００のユーザはイベントに参加でき、認証に失敗した場合には、ユーザ端末４００のユーザはイベントに参加できない。
【０１０９】
以下、本実施の形態に係る二次電子チケット販売システムに係る各装置の動作について説明する。
【０１１０】
図１１は、一次電子チケットを購入し、二次電子チケット販売システムに当該一次電子チケットを売却するユーザ端末４００（図９におけるユーザ端末４００ａ）の動作を示すフローチャートである。
【０１１１】
図１１に示すように、ユーザ端末４００は、一次電子チケット販売装置２００が提供する一次電子チケット販売サイトにアクセスする（ステップＳ１１０１）。ユーザ端末４００は、入力受付部４０２から入力されたユーザのアクセス指示を受けた制御部４０５は、通信部４０１を介して、一次電子チケット販売サイトにアクセスする。そして、制御部４０５は、表示部４０３に一次電子チケット販売サイトを表示させる。
【０１１２】
一次電子チケット販売サイトを閲覧したユーザは、イベントに参加するための、一次電子チケットの購入入力を入力受付部４０２に対して行う。購入入力を受け付けると、入力受付部４０２は、制御部４０５にその旨を伝達する。制御部４０５は、購入したい一次電子チケットを特定するイベントを指定する情報、ユーザ端末４００の機器ＩＤ、ユーザ端末４００が保持するユーザ名と、を含む購入依頼を生成し、通信部４０１を介して、一次電子チケット販売装置２００に送信する（ステップＳ１１０２）。
【０１１３】
そして、ユーザ端末４００の制御部４０５は、一次電子チケット販売装置２００に一次電子チケットの料金の支払いを行う（ステップＳ１１０３）。
【０１１４】
ユーザ端末４００は、一次電子チケット販売装置２００から一次電子チケットを受領する（ステップＳ１１０４）。通信部４０１は、一次電子チケット販売装置２００から送信された一次電子チケットの情報を、ネットワーク５００を介して、受信する。通信部４０１は、受信した一次電子チケットの情報を制御部４０５に伝達する。制御部４０５は、伝達された一次電子チケットの情報を記憶部４０４に記憶する。
【０１１５】
一次電子チケットを購入したユーザが一次電子チケットに係るイベントに参加できなくなった場合に、ユーザは、ユーザ端末４００を用いて、二次電子チケット販売装置１００が提供する二次電子チケット販売サイトにアクセスする（ステップＳ１１０５）。制御部４０５は、入力受付部４０２を介して受け付けたユーザからの二次電子チケット販売サイトへのアクセス指示に従って、通信部４０１を介して、二次電子チケット販売サイトにアクセスする。
【０１１６】
一次電子チケットを購入したユーザはユーザ端末４００を用いて、二次電子チケット販売装置１００に対して、一次電子チケットの売却を依頼する（ステップＳ１１０６）。入力受付部４０２は、ユーザから、購入してある二次電子チケットとして販売される一次電子チケットの売却依頼を受け付ける。入力受付部４０２は、入力内容を制御部４０５に伝達する。そして、制御部４０５は、受け付けた売却依頼に従って、通信部４０１を介して、二次電子チケット販売装置１００に、記憶部４０４に記憶されている一次電子チケットのチケットＩＤ、ユーザ端末４００の機器ＩＤ、ユーザ端末４００のユーザ名を含む、二次電子チケットとして販売される一次電子チケットの売却依頼を送信する。
【０１１７】
これに応じて、一次電子チケットが二次電子チケットとして売却された場合には（ステップＳ１１０７のＹＥＳ）、ユーザ端末４００は、売却報告を二次電子チケット販売装置１００から受信する。通信部４０１は、二次電子チケット販売装置１００から送信された一次電子チケットの売却報告と、その売却料金とを受信し（ステップＳ１１０８）、制御部４０５に伝達する。そして、制御部４０５は、売却報告を表示部４０３に表示させて終了する。
【０１１８】
一方、一次電子チケットの売却が成立しないまま（ステップＳ１１０７のＮＯ）、イベント期日になった場合には（ステップＳ１１０９のＹＥＳ）、処理を終了する。イベント期日が来るまでは（ステップＳ１１０９のＮＯ）、一次電子チケットの売却報告を受領するまで待機する。
【０１１９】
以上が、一次電子チケットを購入し、販売するユーザ端末の動作である。次に、二次電子チケットを購入するユーザ端末４００（図９のユーザ端末４００ｂ）の動作について説明する。
【０１２０】
イベントに参加したいと思いつつ、一次電子チケットを購入できなかったユーザは、ユーザ端末４００を用いて、二次電子チケット販売装置１００が提供する二次電子チケット販売サイトにアクセスする（ステップＳ１２０１）。入力受付部４０２は、ユーザから二次電子チケット販売サイトへのアクセスの指示入力を受け付け、制御部４０５に伝達する。制御部４０５は、通信部４０１を介して、二次電子チケット販売サイトにアクセスする。そして、制御部４０５は、二次電子チケット販売サイトの情報を表示部４０３に表示させる。
【０１２１】
二次電子チケット販売サイトを閲覧して、所望の二次電子チケットが販売されていることを発見したユーザは、ユーザ端末４００を用いて二次電子チケットの購入を依頼する（ステップＳ１２０２）。二次電子チケットの購入依頼を受け付けた入力受付部４０２は、制御部４０５にその旨を伝達する。制御部４０５はこれを受けて購入したい二次電子チケットを指定する情報、ユーザ端末４００の機器ＩＤ、ユーザ端末４００が保持するユーザ名を含む購入依頼を生成し、通信部４０１を介して、二次電子チケット販売装置１００に送信する。
【０１２２】
そして、制御部４０５は、購入した二次電子チケットの料金を、通信部４０１を介して、二次電子チケット販売装置１００に送信する（ステップＳ１２０３）。
【０１２３】
これに応じて、二次電子チケット販売装置１００は、二次電子チケットをユーザ端末４００に送信し、通信部４０１は、二次電子チケットを受信する（ステップＳ１２０４）。二次電子チケットを受信した通信部４０１はこれを制御部４０５に伝達する。制御部４０５は、伝達された二次電子チケットを記憶部４０４に記憶して終了する。
【０１２４】
以上が、二次電子チケットを購入するユーザ端末の動作である。次に、一次電子チケット販売装置２００の動作について説明する。
【０１２５】
図１３は、一次電子チケット販売装置２００の動作を示すフローチャートである。一次電子チケット販売装置２００は、ネットワーク上に、一次電子チケットを販売する一次電子チケット販売サイトを提供している。
【０１２６】
図１３に示すように、一次電子チケット販売装置２００の通信部２０１は、ユーザ端末から、一次電子チケットの購入依頼を受信した場合には（ステップＳ１３０１のＹＥＳ）、当該購入依頼を制御部４０５に伝達する。
【０１２７】
制御部４０５は、購入依頼のあった一次電子チケットの料金の支払いがあったか否かを判定する（ステップＳ１３０２）。料金が支払われた場合には（ステップＳ１３０２のＹＥＳ）、ステップＳ１３０３に進み、料金が支払われるまでは待機する（ステップＳ１３０２のＮＯ）。
【０１２８】
料金が支払われたことを受けて、制御部４０５は、一次電子チケットの購入依頼から一次電子チケットを指定する情報と、購入依頼を行ったユーザ端末の機器ＩＤと、当該ユーザ端末のユーザに係るユーザ名とを抽出する。そして、抽出した情報を一次電子チケットデータベース２１０に登録する（ステップＳ１３０３）。すなわち、制御部２０３は、購入依頼で指定されている一次電子チケットに対応する一次電子チケットＩＤ２１１を検索し、検索したＩＤの欄に対応付けて、購入機器ＩＤ２１２として、購入依頼に含まれるユーザ端末の機器ＩＤを、購入者名２１３として、購入依頼に含まれるユーザ名を登録し、有効フラグを有効に設定する。
【０１２９】
そして、制御部２０３は、通信部２０１を介して、認証装置３００に、一次電子チケットの登録情報依頼を行う（ステップＳ１３０４）。当該登録情報依頼には、一次電子チケットのチケットＩＤ、一次電子チケットを購入したユーザ端末の機器ＩＤ、当該ユーザ端末のユーザに係るユーザ名が含まれる。
【０１３０】
そして、制御部２０３は、購入された一次電子チケットに係る情報を、通信部２０１を介して、一次電子チケットを購入したユーザ端末に送信し（ステップＳ１３０５）、ステップＳ１３０１に戻る。
【０１３１】
一方、一次電子チケットの購入依頼ではなく（ステップＳ１３０１のＮＯ）、一次電子チケットの無効化依頼を二次電子チケット販売装置１００から受信した場合には（ステップＳ１３０６のＹＥＳ）、通信部２０１は、受信した無効化依頼を制御部２０３に伝達する。
【０１３２】
制御部２０３は、無効化依頼を伝達されると、当該無効化依頼に含まれる、チケットＩＤを抽出する。そして、制御部４０５は、一次電子チケットデータベース２１０から、抽出したチケットＩＤに対応する一次電子チケットＩＤ２１１を検索し、対応する有効フラグ２１４を無効にする（ステップＳ１３０７）。
【０１３３】
そして、制御部２０３は、通信部２０１を介して、認証装置に対して、一次電子チケット情報の削除依頼を送信する（ステップＳ１３０８）。当該削除依頼には、情報を削除したい一次電子チケットのチケットＩＤが含まれる。これにより、認証装置３００では、一次電子チケットの購入者情報が削除される。
【０１３４】
以上が、一次電子チケット販売装置２００の動作の説明である。次に、二次電子チケットを販売する二次電子チケット販売装置１００の動作について説明する。
【０１３５】
図１４は、二次電子チケット販売装置１００の動作を示すフローチャートである。二次電子チケット販売装置１００は、二次電子チケットを販売する二次電子チケット販売サイトを提供する。
【０１３６】
二次電子チケット販売装置１００の通信部１０１は、一次電子チケットを購入したユーザ端末から、二次電子チケットとして販売される一次電子チケットの売却依頼（買い取り依頼）を受信すると（ステップＳ１４０１）、制御部１０３に、当該売却依頼を伝達する。
【０１３７】
制御部１０３は、当該売却依頼を受け付けて、売却依頼に含まれる、一次電子チケットのチケットＩＤ、ユーザ端末の機器ＩＤ、ユーザ名を抽出し、二次電子チケットデータベース１１０に新たに、二次電子チケットＩＤ１１１、売却機器ＩＤ１１２、一次購入者名１１３として、それぞれに登録する。そして、制御部１０３は、二次電子チケット販売サイトに、一次電子チケットが対応するイベントのチケットの販売情報を公開する（ステップＳ１４０２）。
【０１３８】
一方、二次電子チケット販売装置１００の通信部１０１は、二次電子チケットとして販売される一次電子チケットの売却依頼ではなく（ステップＳ１４０１のＮＯ）、二次電子チケットの購入依頼を受信した場合には（ステップＳ１４０３のＹＥＳ）、制御部１０３に当該購入依頼を伝達する。
【０１３９】
制御部１０３は、購入依頼のあった二次電子チケットの料金の支払いがあったか否かを判定する（ステップＳ１４０４）。料金が支払われた場合には（ステップＳ１４０４のＹＥＳ）、ステップＳ１４０５に進み、料金が支払われるまでは待機する（ステップＳ１４０４のＮＯ）。
【０１４０】
二次電子チケットの購入依頼を行ったユーザ端末から料金を受け取ると、制御部１０３は、一次電子チケット販売装置２００に対して、一次電子チケットの無効化依頼を行う（ステップＳ１４０５）。制御部１０３は、購入依頼があった二次電子チケットに対応する一次電子チケットのチケットＩＤを含む無効化依頼を生成し、通信部１０１を介して、一次電子チケット販売装置２００に送信する。
【０１４１】
制御部１０３は、二次電子チケットの購入依頼に含まれているユーザ端末の機器ＩＤと、ユーザ名とを、購入された二次電子チケットのチケットＩＤに対応する購入機器ＩＤ１１４と二次購入者名１１５とに登録して、二次電子チケットデータベース１１０を更新する。
【０１４２】
そして、制御部１０３は、購入された二次電子チケットのチケットＩＤと、購入依頼に含まれているユーザ端末の機器ＩＤと、ユーザ名とを含む情報登録依頼を生成し、通信部１０１を介して、認証装置３００に送信する（ステップＳ１４０７）。
【０１４３】
制御部１０３は、通信部１０１を介して、購入された二次電子チケットの情報を、二次電子チケットを購入したユーザ端末に送信して（ステップＳ１４０８）、ステップＳ１４０１に戻る。
【０１４４】
以上が、二次電子チケット販売装置１００の動作である。最後に、認証装置３００の動作について説明する。
【０１４５】
図１５は、認証装置３００の通信部３０１は、認証依頼を受信した場合には（ステップＳ１５０１のＹＥＳ）、当該認証依頼を制御部３０４に伝達する。制御部３０４は、認証依頼に含まれる電子チケットＩＤと、機器ＩＤと、ユーザ名とを抽出する。
【０１４６】
制御部３０４は、記憶部３０２から認証情報を読み出す（ステップＳ１５０２）。
【０１４７】
そして、制御部３０４は、認証依頼に含まれる電子チケットＩＤと、機器ＩＤと、ユーザ名との組み合わせが、認証情報３１０に登録されているか否かを認証する（ステップＳ１５０３）。すなわち、制御部３０４は、認証依頼に含まれる電子チケットＩＤに対応する電子チケットＩＤを、チケットＩＤ３１１から探索する。そして、探索したチケットＩＤ３１１に対応する有効機器ＩＤ３１２と、認証依頼に含まれる機器ＩＤとが一致するかを、また、対応する権利者名３１３と、認証依頼に含まれるユーザ名とが一致するかを判定する。制御部３０４は、双方が一致した場合に、認証成功と判定し、少なくとも一方が一致しなかった場合に、認証失敗と判定する。
【０１４８】
認証に成功した場合には（ステップＳ１５０４のＹＥＳ）、制御部３０４は、報知部３０３に認証成功を報知させてステップＳ１５０１の処理に戻る。認証に失敗した場合には（ステップＳ１５０４のＮＯ）、制御部３０４は、報知部３０３に認証失敗を報知させてステップＳ１５０１の処理に戻る。
【０１４９】
一方、通信部３０１が、認証依頼ではなく（ステップＳ１５０１のＮＯ）、一次電子チケットの登録依頼を受信した場合には（ステップＳ１５０７のＹＥＳ）、制御部３０４に、一次電子チケットの登録依頼を伝達する。
【０１５０】
制御部３０４は、一次電子チケットの登録依頼に含まれる電子チケットＩＤと、機器ＩＤと、ユーザ名とを抽出する。そして、抽出した情報を認証情報３１０に登録してステップＳ１５０１の処理に戻る。すなわち、抽出した電子チケットＩＤと、機器ＩＤと、ユーザ名とを、それぞれ、認証情報のチケットＩＤ３１１、有効機器ＩＤ３１２、権利者名３１３として登録する。
【０１５１】
また、通信部３０１が、一次電子チケットの登録依頼ではなく（ステップＳ１５０７のＮＯ）。一次電子チケットの削除依頼と、二次電子チケットの登録依頼を受信していた場合には（ステップＳ１５０９のＹＥＳ）、その旨を制御部３０４に伝達する。
【０１５２】
制御部３０４は、これを受けて、まず、一次電子チケットの削除依頼に含まれる電子チケットＩＤに対応するチケットＩＤを認証情報３１０から探索する。そして、対応付けられている機器ＩＤ３１２と権利者名３１３とを削除する。次に、制御部３０４は、二次電子チケットの登録依頼に含まれる電子チケットＩＤと、機器ＩＤと、ユーザ名とを抽出する。そして、制御部３０４は、登録依頼に含まれていた電子チケットＩＤに対応するチケットＩＤ３１１を探索し、探索したチケットＩＤ３１１に対応する有効機器ＩＤ３１２と、権利者名３１３とに抽出した機器ＩＤとユーザ名とを登録して、ステップＳ１５０１の処理に戻る。
【０１５３】
以上が認証装置３００の動作である。
【０１５４】
＜表示例＞
ここから、電子チケットの表示例について説明する。図１６（ａ）は、一次電子チケットの表示例である。また、図１６（ｂ）は、二次電子チケットの表示例である。図１６（ａ）、（ｂ）に示すように、電子チケットには、イベントの名称や、開場、開演の時間等の情報を含んでよく、イベントのときに、フロントでイベントスタッフにより切り取られる切り取り部１６０１を含む。
【０１５５】
切り取り部１６０１は、イベントスタッフが、当該部分にタッチして、スワイプすることで、図１７に示すように、切り取ることができる（ユーザ端末が、切り取り部１６０１を切り取るような画像の表示を行う）。当該操作を入力受付部４０２が受け付けることをトリガとして、ユーザ端末４００は、認証装置３００に対して認証依頼を行う。
【０１５６】
また、図１６（ａ）と、図１６（ｂ）とを比較すればわかるように、二次電子チケットは、一次電子チケットとは異なった表示態様で表示する。図１６（ｂ）では、文字により二次電子チケットであることを明示しているが、色を変えたり、背景色を変えたり、別の表示態様にさえ、なっているだけでもよく、二次電子チケットであることがユーザに理解できれば、その他のどのような表示態様をとってもよい。
【０１５７】
また、図１６（ａ）や図１６（ｂ）に示すように、電子チケットには、付帯情報が付属していてもよい。これらの付帯情報は、一次電子チケットであれば、一次電子チケット販売装置２００により付され、二次電子チケットであれば、二次電子チケット販売装置１００により付される。図１６（ａ）、（ｂ）では、付属情報として、「グッズ」と、「本人動画」というタブで表現しており、これらのタブをタッチすることで詳細情報を閲覧することができる。付属情報は、イベントに関連する何らかの情報であればよく、例えば、イベントに関連するグッズの販売情報や、イベントを主催する人物のコメント動画、ファンクラブの情報、イベントで披露される予定の音源の一部など、様々なものが付帯情報として付与し得る。これらの付帯情報には、利用するために課金が必要なものが含まれてもよい。例えば、動画の視聴、音声の再生、イベントの事前販売情報や、イベント後の販売情報（例えば、イベントがコンサートなどの場合には、録音音源の販売など）などが課金の必要な付帯情報としてあり得る。また、付帯情報は、付与しなくともよい。また、一次電子チケットと、二次電子チケットとで、付帯情報は、同じであってもよいし、異なるものであってもよい。また、更には、これらの付属情報には、関連するウェブサイトへのアクセスリンクが含まれてもよい。
【０１５８】
なお、図１６、図１７に示した電子チケットの表示例はあくまで一例である。
【０１５９】
＜まとめ＞
上記実施の形態に示した二次電子チケット販売システムによれば、電子チケットを購入したものの、何らかの事情でイベントに参加できなくなったユーザが、電子チケットを他のユーザに販売する場を提供することができる。また、本二次電子チケット販売システムであれば、イベントを開催する主催者に対しても、料金、イベントの活性化等のメリットを提供することができる。また、電子チケットに各種の付帯情報を付与することで、電子チケットの流通市場の活性化に貢献することができる。また、二次電子チケット販売システムは、紙媒体ではないため、イベントの直前まで、チケットの二次売却を行うことができるので、従来よりも、多数のユーザがイベントに参加できる可能性を上げることができる。また、イベントの主催者が許可していない人物が不当にチケットを買い占めて転売することを防止できる。また、二次電子チケット販売システムによれば、電子チケットの移動を容易に管理し、コントロールすることができるため、所有者の追跡が可能となるという紙媒体のチケットとは異なる大きな効果を得られる。
【０１６０】
＜補足＞
上記実施の形態にしたがって、本発明に係る思想について説明してきたが、本発明に係る技術発明はこれに限定されるものではない。以下、本発明の技術思想として含まれる各種構成について説明する。
【０１６１】
（１）上記実施の形態においては、二次電子チケットの料金設定については詳細に述べていない。二次電子チケットの料金設定については、特に限定するものではないが、以下の３形態が考えられる。
【０１６２】
（ｉ）一次電子チケットの売却を依頼したユーザが、二次電子チケット販売装置１００に売却を依頼する時に設定する。
（ｉｉ）二次電子チケット販売装置１００のオペレータが設定する。
（ｉｉｉ）一次電子チケット販売装置２００（イベントの主催者）が設定する。
【０１６３】
一次電子チケット販売装置２００（イベントの主催者）が二次電子チケットの料金を設定すると、二次電子チケットの料金の高騰を防ぐことができ、多数のユーザにイベントを提供するとともに、安定した二次電子チケット市場を提供することができる。また、二次電子チケット販売サイトにおいては、営利目的の電子チケットの販売は許可していない旨を示してもよい。
【０１６４】
（２）上記実施の形態において、イベント会場における電子チケットのもぎり処理を行う処理は、一次電子チケット販売装置２００ないしは二次電子チケット販売装置１００が配布する専用アプリケーションにより実現されてもよい。当該アプリケーションは、一次電子チケット販売装置２００や、二次電子チケット販売装置１００からダウンロードできるように構成される。
【０１６５】
（３）上記実施の形態において、認証装置３００は、認証依頼に含まれる電子チケットＩＤと、機器ＩＤと、ユーザ名との組み合わせが認証情報に登録されている否かに応じて、認証を行うこととしたが、これはその限りではない。電子チケットＩＤと機器ＩＤの組み合わせ、あるいは、電子チケットＩＤとユーザ名の組み合わせだけで認証を行っても良いし、これらの情報を用いた特定の暗号化処理を利用した認証（例えば、ハッシュ関数）を行っても良い。
【０１６６】
（４）上記実施の形態においては、電子チケットの配布は、一枚単位で行うこととしているが、これは、ユーザが複数の電子チケットの購入を行った場合には、複数の電子チケットを纏めて配布することとしてもよい。この時の、複数の電子チケットは、同じイベントのチケットであってもよいし、異なるイベントのチケットであってもよい。また複数のイベントチケットを纏めて購入した場合には、それぞれの付帯情報を纏めて一つのリストにして表示できるように構成してもよい。
【０１６７】
また、電子チケットが何らかの会員のみが購入可能である場合に、当該会員が複数の電子チケットを購入し、会員でないユーザと同伴してイベントに参加することが考えられるが、そのような場合に、電子チケットを購入したユーザ端末から、会員でないユーザのユーザ情報を得て、当該非会員を会員に誘致することとしてもよい。
【０１６８】
具体的には、二次電子チケット販売装置１００は、ユーザ端末から二次電子チケットの複数購入依頼を受けた際には、当該二次電子チケットを利用する予定のユーザ情報の登録を二次電子チケットの購入依頼を行ったユーザ端末に依頼し、登録させる構成をとってもよい。当該ユーザ情報は、二次電子チケットを使用する予定のユーザを特定できる情報であればよく、例えば、ユーザの名前や年齢、出身、ユーザの保持するユーザ端末の固有識別情報、二次電子チケット販売システムにおけるユーザ自身の固有識別情報（例えば、二次電子チケット販売装置１００に登録しているユーザのＩＤ）などを用いるとよく、特に、ユーザ端末のメールアドレスを用いるとよい。
【０１６９】
そして、非会員への誘致については、二次電子チケット販売装置１００は、登録されたユーザ情報に基づいて、会員情報を保持するサーバにアクセスして、二次電子チケットを使用する予定のユーザが会員として登録されているか否かを問い合わせる。そして、会員として登録されていないと判定された場合に、二次電子チケット販売装置１００は、ユーザ端末に対して会員登録の誘致を行うメッセージを送信する。これにより、非会員ユーザを会員になるように誘致することができる。また、予め二次電子チケットを使用する予定のユーザのユーザ情報を登録しておくことで、転売目的で二次電子チケットを購入して、ユーザをイベントに同伴させるような行為を抑制することができる。
【０１７０】
また、同伴者を伴ってイベントに参加する場合の使用形態としては、以下に示す形態をとることとしてもよい。具体的には、一つのユーザ端末から複数の二次電子チケットを購入して使用する場合には、図１９（ａ）に示すように、複数の二次電子チケットの中から使用する二次電子チケットを選択する。このとき、ユーザ端末は、一つのイベントについて、複数の二次電子チケットを購入している場合には、そのことがわかるように表示してもよい。図１９（ａ）の例では、「○○ＬＩＶＥ２０１６」のタブが複数重ねて表示することで複数枚購入していることを示す例を示している。なお、この表示例は一例である。図１９（ａ）に示すように、「○○ＬＩＶＥ２０１６」の二次電子チケットが選択されると、図１６（ｂ）に示すように、「○○ＬＩＶＥ２０１６」の二次電子チケットが表示される。そして、この画面がイベントスタッフに提示されると、図１７に示すように、イベントスタッフにより、二次電子チケットのもぎり操作が行われる。
【０１７１】
すると、ユーザ端末は、当該二次電子チケットについて、複数枚購入しているか否かを、二次電子チケットの保持枚数から判断する。そして、複数枚保持していた場合には、保持している枚数分までの使用枚数を指定するための画面を図１９（ｂ）に示すように表示する。そして、同伴者並びにユーザ自身を含めた人数分の枚数に該当する枚数を選択する。すると、その枚数分の二次電子チケットが消費される。このとき、購入した全枚数を使用しない場合、例えば、同伴予定者のうち誰かが都合によりイベントに参加できない場合には、同伴者の情報として、二次電子チケットを購入した際に登録したユーザ情報を選択して、認証装置３００に送信することとしてもよい。これにより、認証装置３００は、イベントに誰が参加したのか否かを示す情報を取得することができる。また、図１９（ｂ）では、購入した全枚数について選択可能にボタンを表示しているが、これは、例えば、１枚と、購入した全枚数分のボタンのみを表示することとしてもよい。すなわち、図１９（ｂ）の例で言えば、「２枚」の選択のボタンを表示しない態様を撮ってもよい。当該表示態様は、ユーザ端末における設定で変更できるように構成されていてもよい。
【０１７２】
また、二次電子チケットの譲渡先を当初の予定と変更する場合には、二次電子チケットを購入したユーザ端末から、譲渡先のユーザ端末の情報を変更できるように構成してもよい。当該譲渡機能は、イベントの内容に応じて、譲渡が可能か否かを二次電子チケット販売装置１００で設定できることとしてもよい。例えば、転売による利益が大きくなると見込める人気アイドルのコンサートなどの場合には、二次電子チケットを譲渡できないように設定してもよい。当該設定は、二次電子チケット販売装置１００のオペレータが設定できてもよいし、イベントの主催者が設定できることとしてもよい。また、この際には、二次電子チケット販売サイトにおいては、二次電子チケットが譲渡できないことを示す情報を掲載するとよい。
【０１７３】
（５）上記実施の形態においては、特に記載しなかったが、イベントにおいて座席の指定がされている場合には、購入依頼には座席の指定情報が含まれても良い。また、この場合、販売される二次電子チケットには、対応する一次電子チケットで着席できる座席の情報も対応付けられるとともに、二次電子チケット販売サイトでは、その座席情報も公開される。
【０１７４】
（６）上記実施の形態においては、特に記載していないが、二次電子チケット販売システムにおいて、二次電子チケット販売装置１００は、二次電子チケットとして販売される一次電子チケットの売却依頼を受け付けた場合に、一次電子チケット販売装置２００に対して、一次電子チケットを二次電子チケットに変えて販売する許可を得る構成にしてもよい。
【０１７５】
（７）上記実施の形態においては、一次電子チケット販売装置２００は、一次電子チケットの無効化依頼を受けた場合、認証装置３００に対して、当該一次電子チケットの情報の削除依頼を行う構成を示している。これは、二次電子チケット販売システムにおけるセキュリティ性を向上させるためのものであるが、二次電子チケット販売装置１００から依頼される二次電子チケットの登録に当たって、電子チケットのＩＤを共有していることから、上書きすることによっても、同様の効果を得ることができる。すなわち、一次電子チケット販売装置２００から認証装置３００に対して、一次電子チケットの削除依頼は、必ずしも行わなくともよい。
【０１７６】
（８）上記実施の形態においては、ユーザ端末から一次電子チケットを、二次電子チケット販売装置１００に売却する例を示しているが、これは、二次電子チケット販売装置１００から二次電子チケットを購入したユーザが、イベントに参加できなくなり、二次電子チケットを二次電子チケット販売装置１００に売却依頼をすることとしてもよい。
【０１７７】
また、上記実施の形態においては、二次電子チケット販売装置と記載しているが、二次電子チケット販売装置１００は、一次電子チケット販売装置１００が販売した一次電子チケットを二次電子チケットとして他の二次電子チケット販売装置から販売されたものを買い取って、売却する三次電子チケット販売装置として機能してもよい。このような場合には、三次電子チケット販売装置は、一次電子チケット販売装置と、二次電子チケット販売装置に対して、電子チケットの無効化を依頼する。
【０１７８】
（９）上記実施の形態においては、特に記載していないが、二次電子チケット販売システムにおいて、ユーザ端末から他のユーザ端末に、電子チケットを譲渡できるように構成してもよい。この場合には、電子チケットを他のユーザ端末に譲渡すると、ユーザ端末の制御部４０５は、譲渡先のユーザ端末のＩＤとユーザ情報とを含む譲渡情報を、譲渡した電子チケットが一次電子チケットの場合には、一次電子チケット販売装置２００に、譲渡した電子チケットが二次電子チケットの場合には、二次電子チケット販売装置１００に伝達する。そして、各電子チケット販売装置は、受信した譲渡情報を記憶しているデータベースに記憶するとともに、認証装置３００に対して、認証情報の更新を依頼する。
【０１７９】
二次電子チケットの譲渡を行う場合には、二次電子チケットを購入したユーザ端末から、譲渡先のユーザ端末に対して、当該二次電子チケットを送信する。このとき、二次電子チケットはどのような態様で二次電子チケットを送信してもよく、譲渡先のユーザ端末にメールに添付して送信することとしてもよいし、二次電子チケット販売装置１００が配布する専用アプリケーションをユーザ端末双方にインストールして、当該アプリケーションを介して、ユーザ指定で転送することとしてもよいし、二次電子チケットを譲渡するユーザ端末に、当該二次電子チケットに関する二次元バーコードを表示し、譲渡先のユーザ端末が当該二次元バーコードを読み取ることで、譲渡することとしても良い。二次電子チケットを譲渡するユーザ端末は、譲渡先のユーザ端末に関する情報（ユーザ情報、ユーザ端末の固有識別情報、メールアドレスなど）を二次電子チケット販売装置１００に送信し、二次電子チケット販売装置１００は、認証装置３００に当該情報を登録する。これにより、譲渡先のユーザ端末が二次電子チケットを受け取って当該ユーザ端末の二次電子チケットを用いてイベントに参加することができる。
【０１８０】
このとき、元々友人等に譲渡する目的で二次電子チケットを購入する場合、すなわち、譲渡先が予め決まっている場合には、二次電子チケットを購入するユーザは、譲渡先のユーザに関する情報（例えば、ユーザ名、ユーザのメールアドレス、ユーザ端末の固有識別情報、二次電子チケット販売システム上におけるユーザの固有識別情報など）を購入時に二次電子チケット販売装置１００に登録する構成としてもよい。また、二次電子チケットを譲渡した場合に、譲渡先のユーザ端末から、二次電子チケットの譲渡を受けたことを示す情報を、二次電子チケット販売装置１００に送信する構成にしてもよい。このとき、譲渡先のユーザ端末は、二次電子チケットを購入したユーザ端末が登録したユーザ情報を送信する構成にする。これにより、二次電子チケットの転売を目的とした購入を抑制することができる。
【０１８１】
また、二次電子チケットによっては、二次電子チケット販売装置１００側で譲渡不可属性を付与して、譲渡できないようにしてもよい。その際には、二次電子チケット販売装置１００は、二次電子チケット販売サイト上で、その二次電子チケットは譲渡できない旨を示すことになる。また、譲渡をする際には購入したユーザ端末で最低１枚は使用するという制限を設けることとしてもよい。すなわち、ユーザ端末は、ｎ（ｎは２以上の自然数）枚の二次電子チケットを購入した場合には、ｎ−１枚までは、譲渡可能とし、１枚は譲渡不可とする制御を行ってもよい。人気の高い二次電子チケットは、転売による儲けが見込めるものの、二次電子チケットを譲渡できないようにすることで、第三者が転売することによる二次電子チケットの高騰を防ぐことができる。
【０１８２】
（１０）上記実施の形態において認証装置３００を設けて、イベント時に、電子チケットの正当性を認証することとしているが、これはその限りではない。認証機能は、一次電子チケット販売装置２００、あるいは、二次電子チケット販売装置１００が有することとしてもよい。すなわち、電子チケットがイベントスタッフにより切られると、ユーザ端末４００は、電子チケットが二次電子チケットである場合には、二次電子チケット販売装置１００に、電子チケットが一次電子チケットである場合には、一次電子チケット販売装置２００に、認証依頼を送信する。認証依頼を受けた二次電子チケット販売装置１００又は一次電子チケット販売装置２００は、保持しているデータベースを参照して、認証を行う。そして、イベントのフロントには、報知部のみを設置、もしくは、イベントスタッフが保持する端末を報知部として、認証結果を報知させることとしてもよい。
【０１８３】
（１１）上記実施の形態においては、特に記載していないが、一次電子チケット販売装置２００や、二次電子チケット販売装置１００は、ユーザが電子チケットに付与した付帯情報に対する閲覧履歴や操作履歴を取得して、ユーザの嗜好を特定し、新たな付帯情報を付与する際に、ユーザ好みの付帯情報を生成して付与するようにしてもよい。
【０１８４】
（１２）上記実施の形態において、二次電子チケット販売装置１００がユーザから買い取って販売するのは、イベントに参加するための電子チケットであることとしたが、これに限定されるものではない。例えば、チケット以外には、その他の電子化された商品券や、サービス券、航空券、旅行券、映画館や遊園地その他施設の入場券などであってもよい。
【０１８５】
（１３）上記二次電子チケットは、どのようなデータ形態をとってもよく、例えば、一次元バーコードや、二次元バーコードなどであってもよい。そして、上記実施の形態におけるイベント会場におけるチケットを切る態様は、一次元バーコードや二次元バーコードをユーザ端末に表示させ、認証装置３００に備えたバーコードリーダーを代替とする構成をとってもよい。また、二次電子チケットは、紙媒体や表示画面等に印字された二次元バーコードをユーザ端末が読み取ることで、電子化することとしてもよい。
【０１８６】
（１４）上記実施の形態においては、一次電子チケットを購入したユーザ端末から、二次電子チケット販売装置１００に販売依頼を行う例を示しているが、これはその限りではない。例えば、一次電子チケット販売サイト及び二次電子チケット販売サイトにおいて共通して使用できるＩＤ及びパスワードが設定されている場合などには、一次電子チケットを購入したユーザ端末を保有するユーザが自身の保有する他の機器（例えば、ＰＣ）から二次電子チケット販売サイトにログインし、ユーザ端末で購入した一次電子チケットのＩＤ等を入力することで、一次電子チケットを販売するという構成をとってもよい。
【０１８７】
ただ、一次電子チケットを二次電子チケット販売サイトにアクセスして売却する場合には、一次電子チケットを購入したユーザ端末からアクセスして行う方が、一次電子チケットを購入したことの正当性が確保しやすくなると同時に、二次電子チケットの正当性の保証につなげやすくなるという効果を得ることができる。
【０１８８】
また、ユーザ端末に保持されている電子チケットの売買のためのアプリケーションにより実施の形態に係る電子チケットの売買を実現する場合には、ユーザ端末のアプリケーション上でチケットの売買を実現することができ、電子チケット販売サイトへのアクセスやログインといった手間を省くこともできる。これにより、ユーザ端末におけるユーザビリティの向上という効果を奏することができる。これは、ユーザ端末に、ユーザ端末のＩＤや、ユーザＩＤ、購入した一次電子チケットに関する情報が保持されていることにより、各種の手続きの手間を軽減することができる。なお、当該構成は、二次電子チケットを購入したユーザ端末を保有するユーザが一次電子チケットを売却する場合にも同様のことが言える。
【０１８９】
（第２の実施形態）
第２の実施形態は、一次電子チケットを購入したユーザのユーザ端末４００ａから二次電子チケットとして販売される当該一次電子チケットの売却依頼を受け付けた場合に、当該一次電子チケットを無効化する場合の実施形態である。
【０１９０】
一次電子チケットを購入したユーザは、ユーザ端末４００ａを用いて、二次電子チケットとして販売される当該一次電子チケットの売却依頼を行う。具体的には、一次電子チケットの売却を希望するユーザは、ユーザ端末４００ａを用いて、売却を希望する一次電子チケットを識別する情報とユーザを識別する情報を含む売却依頼情報を売却依頼として二次電子チケット販売装置１００に送信する。なお、売却依頼情報には二次電子チケットの売却を希望する価格を示す売却希望価格や二次電子チケットの売却を希望する期間を示す売却希望期間や売却対象となるユーザの条件（例えば、過去の購入実績や登録されている情報の量や精度や信頼度など）など売却条件に関する情報を含むように構成してもよい。
【０１９１】
一次電子チケットに関する情報は、例えば、電子チケットを一意に識別可能な電子チケットＩＤや当該一次電子チケットを購入したユーザを一意に識別可能なユーザＩＤや当該一次電子チケットを購入したユーザ端末４００ａを一意に識別可能な機器ＩＤ
を含む。電子チケットＩＤは、例えば、電子チケットの各々に対して、一次電子チケット販売装置２００のよって割り当てられた識別子やイベントの主催者によって割り当てられた識別子などを用いることができる。機器ＩＤは、例えば、ユーザ端末４００ａの固有製造番号やＭＡＣアドレス、通信会社等が割り当てた加入者識別番号等を用いることができる。ユーザＩＤは、例えば、一次電子チケットの購入者の各々に対して、一次電子チケット販売装置２００によって割り当てられた識別子や一次電子チケット販売や二次電子チケット販売やチケットに関わる情報の提供などを含むチケット会員サービスにおいて当該ユーザに対して割り当てられた識別子などを用いることができる。
【０１９２】
二次電子チケット販売装置１００の制御部１０３は、通信部１０１を介してユーザ端末４００ａから二次電子チケットとして販売される一次電子チケットの売却依頼を取得する。制御部１０３は、一次電子チケットデータベース２１０を参照して、売却依頼として取得した売却依頼情報に含まれる一次電子チケットを識別する情報に対応する一次電子チケットを売却依頼の対象となる電子チケットとして特定し、一次電子チケットデータベース２１０に含まれる当該特定された一次電子チケットに関する情報に基づいて、当該一次電子チケットが売却可能であるか否かを判定する。
【０１９３】
なお、図３において一次電子チケットデータベース２１０は記憶部２０２に記憶されるように構成したが、記憶部１０２に一次電子チケットデータベース１２０として記憶されるように構成してもよい。図２０は、第２の実施形態において、記憶部１０２に記憶されている一次電子チケットデータベース１２０の構成例である。第２の実施形態において、二次電子チケット販売装置１００は、売却依頼を受けた一次電子チケットが売却可能か否かを判定可能なように、記憶部１０２に一次電子チケットに関する情報を一次電子チケットデータベース１２０として記憶しておく。
【０１９４】
図２０に示すように、一次電子チケットデータベース１２０は、一次電子チケットに関する情報として、例えば、一次電子チケットＩＤ１２１と、売却可能期間１２２とが対応付けて記憶されている。なお、一次電子チケットデータベース１２０は、これらの情報に加えて、または、これらの情報の代わりに、一次電子チケットを購入した機器ＩＤ１２３や購入者ＩＤ１２４、一次電子チケットに対応するイベントの開催時期１２５等の情報が、対応付けて記憶されていてもよい。
【０１９５】
制御部１０３は、例えば、一次電子チケットデータベース１２０を参照して、売却依頼を受けた一次電子チケットの一次電子チケットＩＤに基づいて、当該一次電子チケットが売却可能か否かを判定する。なお、二次電子チケットとして販売される一次電子チケットの売却許否判定の詳細については後述する。
【０１９６】
なお、記憶部１０２に一次電子チケットデータベース１２０を記憶する代わりに、二次電子チケット販売装置１００は、例えば、一次電子チケット販売装置２００や認証装置３００に一次電子チケットに関する情報を問い合わせることにより、当該一次電子チケットが売却可能か否かを判定してもよい。
【０１９７】
制御部１０３は、売却依頼を取得した一次電子チケットの売却が不可であると判定した場合、売却依頼を行ったユーザに対して、売却不可であることを示す情報を通知し、二次電子チケットとして販売される一次電子チケットの売却依頼を受け付けるための処理を実行せず、処理を終了する。なお、制御部１０３は、二次電子チケットとして販売される一次電子チケットの売却依頼を受け付けた後に売却が不可である判定した場合、当該受け付けた売却依頼に関する情報を削除する又は無効にするように構成してもよい。
【０１９８】
一方、制御部１０３は、売却依頼を取得した二次電子チケットとして販売される一次電子チケットの売却が可能であると判定した場合、二次電子チケットとして販売される一次電子チケットの売却依頼を受け付けるための処理を実行する。具体的には、制御部１０３は、売却依頼を受けた一次電子チケットに関する情報を記憶部１０２に記憶されている二次電子チケットデータベース１１０に格納する。
【０１９９】
次いで、制御部１０３は、売却依頼を行ったユーザの認証を行う。制御部１０３は、通信部１０１を介して、認証装置３００に対して、売却依頼を行ったユーザの認証を依頼する。認証装置３００は、所定の条件に基づいて、ユーザ認証を実行し、認証結果を二次電子チケット販売装置１００に通知する。なお、ユーザの認証を実行するのは認証装置３００に限られず、例えば、二次電子チケット販売装置１００や他の装置が実行してもよい。また、制御部１０３は、売却依頼を取得した一次電子チケットの売却が可能であると判定した場合、二次電子チケットとして販売される一次電子チケットの売却依頼を受け付けるための処理を実行する前に売却依頼を行ったユーザの認証を行うように構成してもよい。
【０２００】
制御部１０３は、ユーザの認証が成功しなかった場合、売却依頼を行ったユーザに対して、売却不可であることを示す情報を通知し、前記受け付けた売却依頼に関する情報を削除する又は無効にする。なお、制御部１０３は、二次電子チケットとして販売される一次電子チケットの売却依頼を受け付けるための処理を実行する前にユーザの認証を行い、当該認証が成功しなかった場合、売却依頼を行ったユーザに対して、売却不可であることを示す情報を通知し、二次電子チケットとして販売される一次電子チケットの売却依頼を受け付けるための処理を実行せず、処理を終了するように構成してもよい。
【０２０１】
一方、制御部１０３は、ユーザの認証が成功した場合、ユーザに対して、売却依頼を受け付ける旨を通知する。なお、制御部１０３は、二次電子チケットとして販売される一次電子チケットの売却依頼を受け付けるための処理を実行する前にユーザの認証を行い、当該認証が成功した場合、売却依頼を行ったユーザに対して、売却依頼を受け付ける旨を通知し、二次電子チケットとして販売される一次電子チケットの売却依頼を受け付けるための処理を実行するように構成してもよい。
【０２０２】
制御部１０３は、ユーザの認証が成功した場合、一次電子チケット販売装置２００を介して、認証装置３００に対して、一次電子チケットの無効化を依頼する。なお、制御部１０３は、認証装置３００に対して、直接、一次電子チケットの情報の無効化を依頼してもよい。一次電子チケットの情報の無効化とは、一次電子チケットの情報を削除又は更新することによって実現するように構成してもよい。また、無効化を依頼する対象となる一次電子チケットの情報は一次電子チケットの情報全てでもよいし、一次電子チケットの情報の一部の情報であってもよい。一次電子チケットの情報の一部とは、例えば電子チケットの有効性など示すフラグなどの情報や一次電子チケットに対応するユーザの情報などである。
【０２０３】
一次電子チケット販売装置２００の制御部２０３は、二次電子チケット販売装置１００から、一次電子チケットの情報の無効化を依頼された場合、認証装置３００に対して、一次電子チケットの無効化の依頼を行う。具体的には、二次電子チケット販売装置１００の制御部１０３は、売却依頼の対象となる電子チケットを識別する情報を含む一次電子チケットに関する情報を認証装置３００に送信して、一次電子チケットの無効化の依頼を行う。なお、一次電子チケットに関する情報は、例えば、一次電子チケットＩＤや機器ＩＤ、ユーザＩＤ等を含んでいてもよい。
【０２０４】
認証装置３００は、二次電子チケット販売装置１００から、一次電子チケット販売装置２００を介して又は直接に一次電子チケットの情報の無効化の依頼を取得した場合、当該一次電子チケットの無効化処理を実行する。一次電子チケットの無効化処理は、例えば、記憶部３０２に記憶されている認証情報３１０から、無効化の依頼を受けた一次電子チケットに関する情報の全てを削除する処理や無効化の依頼を受けた一次電子チケットに関する情報のうち有効機器ＩＤ（機器ＩＤの一態様）と権利者名（ユーザＩＤの一態様）などに関する一部の情報を削除する処理である。
【０２０５】
また、一次電子チケットの無効化処理は、例えば、記憶部３０２に記憶されている認証情報３１０から、無効化の依頼を受けた一次電子チケットに関する情報の全てを更新する処理や無効化の依頼を受けた一次電子チケットに関する情報のうち有効機器ＩＤ（機器ＩＤの一態様）と権利者名（ユーザＩＤの一態様）などに関する一部の情報を更新する処理である。更新する処理とは、認証情報３１０においてチケットＩＤに対応付けて設定されている有効フラグを「０」に更新する処理である。なお、有効フラグは、一次電子チケットが有効か無効かを示す情報であり、例えば、有効フラグが「１」の場合は、一次電子チケットが有効であり、「０」の場合は無効である。
【０２０６】
なお、有効フラグは、一次電子チケットが有効か無効かを区別できれば、どのような形態をとってもよい。例えば、有効フラグは、有効の場合に「１」を、無効の場合に「２」を、一時停止の場合に「３」を設定する形態であってもよい。
【０２０７】
図２１は、第２の実施形態における、認証装置３００の記憶部３０２に記憶されている認証情報３１０の構成例を示す図である。図２１に示すように、記憶部３０２の認証情報３１０は、一次電子チケットのチケットＩＤ３１１と、有効機器ＩＤ３１２と、権利者名３１３と、有効フラグ３１４とが対応付けて記憶されている。
【０２０８】
認証装置３００は、例えば、二次電子チケット販売装置１００から、一次電子チケット販売装置２００を介して又は直接に一次電子チケットの情報の無効化の依頼を取得した場合、認証情報３１１に記憶されている認証情報を無効化する。認証情報の無効化とは認証情報に含まれる全ての情報の削除や、認証情報に含まれる一部の情報の削除や、認証情報に含まれる全ての情報更新や認証情報に含まれる一部の情報の更新を実行することである。これによって、認証装置３００は、無効化依頼を受けた一次電子チケットを無効化することができる。
【０２０９】
図２２は、第２の実施形態における二次電子チケット販売装置１００の動作例を示すフローチャートである。
【０２１０】
図２２に示すように、二次電子チケット販売装置１００の制御部１０３は、一次電子チケットを購入したユーザから、二次電子チケットとして販売される当該一次電子チケットの売却依頼を取得する（Ｓ１６０１）。
【０２１１】
制御部１０３は、受け付けた一次電子チケットに関する情報に基づいて、一次電子チケットデータベース２１０又は一次電子チケットデータベース１２０を参照して、当該一次電子チケットが売却可能であるか否かを判定する（Ｓ１６０２）。制御部１０３は、売却依頼を取得した一次電子チケットが売却可能であると判定した場合（Ｓ１６０２のＹＥＳ）、売却依頼を行ったユーザの認証を行う（Ｓ１６０３）。一方、制御部１０３は、売却依頼を取得した一次電子チケットが売却不可であると判定した場合（Ｓ１６０２のＮＯ）、売却依頼を行ったユーザに対して、売却不可であることを示す情報を通知する（Ｓ１６０４）。
【０２１２】
制御部１０３は、ユーザの認証が成功した場合には（Ｓ１６０３のＹＥＳ）、ユーザに対して、売却依頼を受け付ける旨を通知し（Ｓ１６０５）、一次電子チケット販売装置２００に対して、一次電子チケットの情報の無効化を依頼する（Ｓ１６０６）。一方、制御部１０３は、ユーザの認証が成功しなかった場合には（Ｓ１６０４のＮＯ）、売却依頼を行ったユーザに対して、売却不可であることを示す情報を通知する（Ｓ１６０４）。
【０２１３】
上記のとおり、第２の実施形態の二次電子チケット販売システムでは、一次電子チケットを購入したユーザから二次電子チケットとして販売される当該一次電子チケットの売却依頼を受け付けた場合に、当該一次電子チケットを無効化する。そのため、二次電子チケットとして販売される一次電子チケットの売却依頼を受け付けた時点で、一次電子チケットの使用を制限することが可能となり、売却依頼を受け付けた電子チケットの不正利用等を防止することができる。
【０２１４】
（第３の実施形態）
第３の実施形態は、二次電子チケット販売装置１００が、所定の条件に基づいて、二次電子チケットの譲渡の制限を実行する場合の実施形態である。第３の実施形態において、二次電子チケット販売装置１００は、例えば、一次電子チケットを購入したユーザから二次電子チケットとして販売される当該一次電子チケットの売却依頼を取得した際に、所定の条件を満足しているか否かを判定し、所定の条件を満足していると判定された場合、二次電子チケットの譲渡の制限を実行する。なお、二次電子チケットの譲渡の制限とは、（１）一次電子チケットを購入したユーザからの二次電子チケットとして販売される当該一次電子チケットの売却依頼の受け付けを拒否すること、（２）二次電子チケットとして販売される一次電子チケットの売却依頼を受け付けた後に当該一次電子チケットを二次電子チケットとして販売する行為自体を制限すること、（３）二次電子チケットとして販売される一次電子チケットの売却依頼を受け付けた後に当該一次電子チケットを二次電子チケットとして販売する際の販売条件に関する制限をすることなどである。また、二次電子チケット販売装置１００による、二次電子チケットの譲渡を制限するタイミングは、二次電子チケットとして販売される一次電子チケットの売却依頼を取得したときに限定されない、例えば、（１）二次電子チケットの購入申込みを取得したとき、（２）二次電子チケットの売却が成立したとき、（３）二次電子チケットとして販売される一次電子チケットの売却依頼を受け付けたときから二次電子チケットの売却が成立するときまでの間の何れのタイミングであってもよい。
【０２１５】
第３の実施形態における二次電子チケット販売装置の構成例は、図４に示す第１の実施形態の二次電子チケット販売装置の構成例と同様であるため、詳細な説明は省略される。
【０２１６】
第３の実施形態の二次電子チケット販売装置１００の販売部として機能する制御部１０３は、電子チケット（一次電子チケット又は二次電子チケット）の情報に基づいて、一次電子チケットを購入したユーザから売却依頼を希望する電子チケットとして受け付けた二次電子チケットの譲渡制限を実行する。
【０２１７】
二次電子チケットの譲渡制限は、例えば、当該二次電子チケットの譲渡自体を制限するものである。また、二次電子チケットの譲渡制限は、例えば、当該二次電子チケットの譲渡数量の制限であってもよい。また、二次電子チケットの譲渡制限は、例えば、当該二次電子チケットの譲渡価格の制限であってもよい。譲渡価格の制限は、例えば、１枚の電子チケットの価格の上限値および／または下限値の制限であってもよい。また、譲渡価格の制限は、例えば、複数の二次電子チケットの総売上の上限値および／または下限値の制限であってもよい。
【０２１８】
販売部として機能する制御部１０３は、例えば、一次電子チケットの販売に関する情報が所定の条件を満たす場合に、二次電子チケットの譲渡を制限する。販売に関する情報とは、例えば一次電子チケットの販売価格や販売数量である。所定の条件とは、例えば、（１）一次電子チケットの販売価格が所定の価格以上であること、（２）一次電子チケットの販売するための在庫数量が、所定の数量以上であること、（３）一次電子チケットの販売された数量が所定の数量以上であること、（４）一次電子チケットの事前予約数が所定の数量以上であることなどである。
【０２１９】
販売部として機能する制御部１０３は、一次電子チケットの販売価格と比較条件としての所定の価格の情報を取得し、当該販売価格が所定の価格以上である場合に二次電子チケットの販売自体を制限する。
【０２２０】
販売部として機能する制御部１０３は、一次電子チケットの在庫数量と比較条件としての所定の数量の情報を取得し、当該在庫数量が所定の数量以上である場合に二次電子チケットの販売自体を制限する。
【０２２１】
販売部として機能する制御部１０３は、一次電子チケットの販売された数量と比較条件としての所定の数量の情報を取得し、当該販売された数量が所定の数量以上である場合に二次電子チケットの販売自体を制限する。
【０２２２】
販売部として機能する制御部１０３は、一次電子チケットの購入予約数量と比較条件としての所定の数量の情報を取得し、当該購入予約数量が所定の数量以上である場合に二次電子チケットの販売自体を制限する。
【０２２３】
比較条件としての所定の価格または所定の数量は、例えば、予め定められた価格または数量であってもよいし、イベントの主催者や二次電子チケット販売システムの運営者によってイベント枚に任意に設定された価格または数量であってもよい。また、所定の価格または所定の数量は、一次電子チケットに対応するイベントが属するカテゴリ毎に任意に設定された価格または数量であってもよいし、所定の価格または所定の数量は、一次電子チケットに対応するイベントが属するカテゴリと所定の関連性のあるカテゴリに含まれる電子チケットに応じて設定された価格または数量であってもよい。また、所定の価格または所定の数量は、一次電子チケットに対応するイベントの開催主体（例えば、アーティストや劇団など）に応じてイベントの開催主体毎に設定された価格または数量であってもよいし、イベントの開催主体（例えば、アーティストや劇団など）と所定の関係性のあるイベントの電子チケットに応じて設定された価格または数量であってもよい。また、上記比較条件としての所定の価格または所定の数量を特定するための他のイベントは、比較元となるイベントと所定の関連性のあるイベントであってもよいし、所定の販売実績のあるイベントであってもよい。所定の販売実績のあるイベントとは、販売期間が所定期間以上であるイベントや、販売回数（イベントの開催回数）が所定回数以上であるイベントや、チケットの販売額が所定の販売額以上であるイベントなどのことである。
【０２２４】
イベントが属するカテゴリと所定の関連性のあるカテゴリに属するイベントの電子チケットに応じて設定された価格とは、当該イベントが属するカテゴリと同一のカテゴリや類似するカテゴリに属する各イベントの電子チケットの価格の平均値や中央値や最高値や最低値などであってもよいし、当該イベントが属するカテゴリと同一のカテゴリや類似するカテゴリに属する各イベントの電子チケットのうち、当該イベントの電子チケットを除いた他の電子チケットの価格の平均値や中央値や最高値や最低値などであってもよい。イベントが属するカテゴリと所定の関連性のあるカテゴリに属するイベントの電子チケットに応じて設定された数量とは、当該イベントが属するカテゴリに属する各イベントの電子チケットの初期在庫数量や販売された数量や購入予約数量の平均値や中央値や最高値や最低値などであってもよいし、当該イベントが属するカテゴリと同一のカテゴリや類似するカテゴリに属する各イベントの電子チケットのうち、当該イベントの電子チケットを除いた他の電子チケットの数量の平均値や中央値や最高値や最低値などであってもよい。
【０２２５】
イベントの開催主体（例えば、アーティストや劇団など）と所定の関連性のあるイベントの開催主体の電子チケットに応じて設定された価格とは、当該イベントの開催主体と同一の開催主体のイベントの電子チケットの価格の平均値や中央値や最高値や最低値などであってもよいし、当該イベントの開催主体と類似する他の開催主体の電子チケットの価格の平均値や中央値や最高値や最低値などであってもよい。イベントの開催主体（例えば、アーティストや劇団など）と所定の関連性のあるイベントの開催主体の電子チケットに応じて設定された数量とは、当該イベントの開催主体と同一の開催主体のイベントの電子チケットの初期在庫数量や販売された数量や購入予約数量の平均値や中央値や最高値や最低値などであってもよいし、当該イベントの開催主体と類似する他の開催主体の電子チケットの初期在庫数量や販売された数量や購入予約数量の平均値や中央値や最高値や最低値などであってもよい。
【０２２６】
販売部として機能する制御部１０３は、一次電子チケットの販売価格または販売数量が、所定の価格以上であるかまたは所定の数量未満であるか否かを判定する。そして、販売部として機能する制御部１０３は、判定結果に応じて、二次電子チケットの譲渡を制限する。所定の価格が例えば１０，０００円に設定されていた場合、販売部として機能する制御部１０３は、一次電子チケットの販売価格が１０，０００円以上であるか否かを判定し、一次電子チケットの販売価格が１０，０００円以上である場合に、当該一次電子チケットに対応する二次電子チケットの譲渡を制限する。また、所定の数量が例えば１０，０００枚に設定されていた場合、販売部として機能する制御部１０３は、一次電子チケットの販売数量が１０，０００枚未満であるか否かを判定し、一次電子チケットの販売数量が１０，０００枚未満である場合に、当該一次電子チケットに対応する二次電子チケットの譲渡を制限する。
【０２２７】
また、所定の条件とは、例えば、一次電子チケットの販売価格または販売数量が他の電子チケットと比較して相対的に高い販売価格であることまたは少ない販売数量であることであってもよい。制御部１０３の販売部は、例えば、一次電子チケットの販売価格または販売数量が他の電子チケットと比較して相対的に高い販売価格である場合または少ない販売数量である場合に、二次電子チケットの譲渡を制限する。
【０２２８】
イベントが属するカテゴリと所定の関連性のあるカテゴリとは、イベントが属するカテゴリと同一のカテゴリやイベントが属するカテゴリに類似するカテゴリのことであり、例えば邦楽と洋楽などの音楽カテゴリやサッカーのリーグ戦とカップ戦などのスポーツカテゴリなどである。同一のカテゴリとは、例えば、音楽やスポーツなどの上位カテゴリ単位であってもよく、また上位カテゴリがより細分化された下位カテゴリ単位であってもよい。また、同一のカテゴリは、例えば、イベントの開催場所や開催時期が、所定の範囲に含まれることである。所定の範囲は、イベントの開催場所が同一の地域であることや、開催時期が同一の“シーズン”や同一の“月”や“週”であることである。なお、同一のカテゴリは、これらの例に限られず。どのようなカテゴリであってもよい。
【０２２９】
販売部として機能する制御部１０３は、例えば、一次電子チケットの販売数量が、当該一次電子チケットの想定販売数量以下である場合に、二次電子チケットの譲渡を制限する。一次電子チケットの想定販売数量とは、例えば、当該一次電子チケットの販売開始時点からの時間経過に応じて設定された販売数量である。また、想定販売数量とは、例えばイベントの主催者や二次電子チケット販売システムの運営者によって任意に設定された販売数量であってもよいし、例えばイベントの主催者や二次電子チケット販売システムの運営者によって設定された一次電子チケットの販売計画に基づいて設定された販売数量であってもよいし、一次電子チケットの想定需要に基づいて統計的に設定された販売数量であってもよいし、他の電子チケットの情報に基づいて設定された販売数量であってもよい。他の電子チケットは、例えば、一次電子チケットと類似するイベントの電子チケットである。類似するイベントは、例えば、主催者や興行主が同一であるイベントや、音楽やスポーツなどのジャンルが類似するイベント、開催場所や開催時期が所定の範囲に含まれるイベントである。
【０２３０】
想定需要は、例えば、ユーザ端末４００ａや一次電子チケット販売装置２００や二次電子チケット販売装置１００などから取得した電子チケットに関する情報に基づいて算出してもよい。電子チケットに関する情報は、例えば、一次電子チケットや二次電子チケットの購入の有無、一次電子チケットや二次電子チケットの購入数一次電子チケットや二次電子チケットの購入予約、一次電子チケットや二次電子チケットのブックマーク（お気に入り登録数）、一次電子チケットや二次電子チケットの閲覧数、一次電子チケットや二次電子チケットの検索数などである。二次電子チケット販売装置１００は、例えば、ユーザ端末４００ａや二次電子チケット販売装置２００などから電子チケットに関する情報を取得する。想定需要は、例えば、電子チケットの販売数に対する電子チケットの購入予約数の割合に基づいて算出されてもよい。なお、電子チケットの販売数に対する電子チケットの購入予約数の割合が大きいほど想定需要は高く算出される。また、電子チケットの販売数に対する電子チケットの購入予約数の割合は、電子チケットの販売数に対する電子チケットのブックマーク登録数の割合や電子チケットの販売数に対する電子チケットの閲覧数の割合や電子チケットの販売数に対する電子チケットの検索数の割合であってもよい。
【０２３１】
このような構成により、本発明の第３の実施態様に係る電子チケット販売装置は、電子チケットの情報に基づいて、二次電子チケット（再販売電子チケット）の譲渡を制限することにより、相対的に付加価値に高いイベントや需要と供給のバランスがマッチしていないイベントなど、ダフ屋行為が行われる可能性の高いイベントに係る電子チケットの再販売を管理することができるようになる。
【０２３２】
また、販売部として機能する制御部１０３は、一次電子チケットに対応するイベントに関する情報が所定の条件を満たす場合に、二次電子チケットの譲渡を制限してもよい。一次電子チケットに対応するイベントに関する情報は、例えば、一次電子チケットに対応するイベントの開催回数や開催頻度であり、開催回数や開催頻度が所定数以下である場合に二次電子チケットの譲渡を制限してもよい。所定数は、例えば、予め定められた回数や頻度であってもよいし、イベントの主催者や二次電子チケット販売システムの運営者によって任意に設定された回数や頻度であってもよい。販売部として機能する制御部１０３は、例えば、一次電子チケットに対応するイベント過去の開催回数や頻度が所定回数又は所定頻度以下である場合に、二次電子チケットの譲渡を制限する。
【０２３３】
また、所定の条件は、例えば、一次電子チケットに対応するイベントの残りの開催回数が、所定回数以下であることであってもよい。一次電子チケットに対応するイベントの残りの開催回数が少ない場合、例えば解散するグループやチームなどのイベントの場合や、毎年異なるテーマで行われているイベントなどの場合など希少性の高いイベントである場合に、二次電子チケットの譲渡を制限する。
【０２３４】
また、所定の条件は、例えば、一次電子チケットに対応するイベントが、類似する他のイベントに対して相対的に注目される蓋然性が高いイベントであってもよい。類似する他のイベントは、例えば、カテゴリが同一又は類似するイベントや、開催場所や開催時期が近いイベントである。類似するイベントにおいて相対的に注目の高いイベント、例えば最終公演である場合や優勝や降格が決定する試合である場合に、二次電子チケットの譲渡を制限する。
【０２３５】
このような構成により、本発明の第３の実施態様に係る電子チケット販売装置は、他の電子チケットに比べて相対的に優位な電子チケットの流通量を制御することによって、当該電子チケットを高額な値段で売ろうとする業者等の販売を制限することができ、健全な電子チケットの流通に寄与することができる。また、このような構成により、本発明の第３の実施態様に係る電子チケット販売装置は、他の電子チケットに比べて電子チケットの入手可能性が低い電子チケットの流通量を制御することによって、当該電子チケットを高額な値段で売ろうとする業者等の販売を制限することができ、健全な電子チケットの流通に寄与することができる。
【０２３６】
二次電子チケットとして販売される一次電子チケットの売却許否判定について以下説明する。販売部として機能する制御部１０３は、例えば、二次電子チケットとして販売される一次電子チケットの売却を依頼したユーザの情報に基づいて、当該一次電子チケットの売却依頼を拒否することによって譲渡を制限してもよい。
【０２３７】
販売部として機能する制御部１０３は、例えば、一次電子チケットを購入したユーザ端末の情報と、一次電子チケットの売却を申し込んだユーザ端末の情報とに基づいて、当該一次電子チケットの売却依頼を拒否することによって譲渡を制限する。
【０２３８】
販売部として機能する制御部１０３は、例えば、一次電子チケットの購入申込を送信したユーザ端末を識別する識別情報と、一次電子チケットの売却依頼を送信したユーザ端末を識別する識別情報とを比較し、当該比較結果に応じて特定される条件を満たさない場合に売却依頼を拒否することによって二次電子チケットの譲渡を制限する。
【０２３９】
販売部として機能する制御部１０３は、例えば、一次電子チケットの購入申込を送信したユーザ端末を識別する識別情報と、一次電子チケットの売却依頼を送信したユーザ端末を識別する識別情報とを比較し、当該比較結果に応じて特定される条件を満たした場合に当該売却依頼を受け付ける。
【０２４０】
比較結果に応じて特定される条件とは、一次電子チケットを購入したユーザ端末を識別する識別情報と一次電子チケットの売却を申し込んだユーザ端末を識別する識別情報との比較結果が同一である場合に、一次電子チケットの売却の申し込みを許可ことであり、販売部として機能する制御部１０３は、一次電子チケットを購入したユーザ端末を識別する識別情報と、一次電子チケットの売却を申し込んだユーザ端末を識別する識別情報とが同一の場合に、当該一次電子チケットの売却の申し込みを許可する。
【０２４１】
比較結果に応じて特定される条件とは、一次電子チケットを購入したユーザ端末を識別する識別情報と一次電子チケットの売却を申し込んだユーザ端末を識別する識別情報との比較結果が異なる場合に、ユーザに対して追加の認証を行うことであり、販売部として機能する制御部１０３は、一次電子チケットを購入したユーザ端末と、一次電子チケットの売却を申し込んだユーザ端末とが異なる場合に、追加のユーザの認証処理を実行し、当該追加の認証において認証処理が成功した場合に、当該二次電子チケットの売却の申し込みを許可する。
【０２４２】
比較結果に応じて特定される条件とは、一次電子チケットを購入したユーザ端末を識別する識別情報と一次電子チケットの売却を申し込んだユーザ端末を識別する識別情報との比較結果が異なる場合に、当該売却依頼を売却の仮申込として受け付けて二次電子チケットの購入希望者に対する当該二次電子チケットに関する情報としての提示を許可し、仮申込として受け付けた後に、ユーザに対して追加の認証を行うことであり、販売部として機能する制御部１０３は、一次電子チケットを購入したユーザ端末を識別する識別情報と、一次電子チケットの売却を申し込んだユーザ端末を識別する識別情報とが異なる場合に、当該売却依頼を売却の仮申込として受け付けて、二次電子チケットの購入希望者に対する当該二次電子チケットに関する情報としての提示を許可し、仮申込として受け付け後に、追加のユーザの認証処理を実行し、当該千佳の認証において認証処理が成功した場合に、当該二次電子チケットの売却を許可する。
【０２４３】
また、販売部として機能する制御部１０３の販売部は、二次電子チケットとして販売される一次電子チケットの売却依頼を行ったユーザの一次電子チケットの購入数に対する売却を依頼する二次電子チケットの数が所定の条件を満たす場合に、売却依頼を拒否することによって二次電子チケットの譲渡を制限してもよい。一次電子チケットの購入数は、例えば、同一の機器ＩＤに対応する購入された同一のイベントの一次電子チケットの数量である。一次電子チケットの購入数は、例えば、同一のユーザＩＤに対応する購入された同一のイベントの一次電子チケットの数量であってもよい。
【０２４４】
また、販売部として機能する制御部１０３の販売部は、二次電子チケットとして販売される一次電子チケットの売却依頼を受け付けたユーザの一次電子チケットの購入数に対する売却を受け付けた二次電子チケットとして販売される一次電子チケットの数が所定の条件を満たす場合に、売却を受け付けた二次電子チケットのうち少なくとも一部の二次電子チケットの譲渡を制限してもよい。
【０２４５】
所定の条件は、例えば、一次電子チケットの購入数が、所定数以上であることである。販売部として機能する制御部１０３は、例えば、一次電子チケットの購入数が、所定数以上である場合に、二次電子チケットの譲渡を制限する。所定数は、例えば、予め定められた数量であってもよいし、イベントの主催者や二次電子チケット販売システムの運営者によって任意に設定された数量であってもよい。所定数は、例えば、一次電子チケットに関する情報に基づいて設定された数量であってもよい。一次電子チケットに関する情報は、例えば、当該一次電子チケットの価格や総販売数、残在庫数、想定需要、希少性などである。例えば、所定数が１０枚に設定されていた場合、制御部１０３の販売部は、一次電子チケットの購入数が１０枚以上であるか否かを判定し、一次電子チケットの購入数が１０枚以上であると判定された場合に二次電子チケットの譲渡を制限する。
【０２４６】
なお、所定の条件は一次電子チケットの購入数に応じて、決定してもよい。例えば、一次電子チケットの購入数が多いほど、二次電子チケットの譲渡制限の枚数を多くしてもよい。例えば、一次電子チケットの購入数１０枚の場合に所定の条件は８枚に設定され、一次電子チケットの購入数４枚の場合に所定の条件は３枚に設定されるように構成してもよい。
【０２４７】
このような構成により、本発明の第２の実施態様に係る電子チケット販売装置は、一次電子チケットを購入したユーザである第１購入者の属性等に基づいて、当該第１購入者による二次電子チケット（再販売電子チケット）の譲渡を制限することにより、専ら電子チケットの転売を行う業者や電子チケットを高額な値段で売ろうとする業者等の販売を制限することができ、健全な電子チケットの流通に寄与することができる。
【０２４８】
また、販売部として機能する制御部１０３は、例えば、一次電子チケットの購入時または購入申し込み時から、二次電子チケットの売却の依頼取得時又は二次電子チケットの売却の依頼受付時までの経過期間に基づいて、二次電子チケットの譲渡を制限してもよい。販売部として機能する制御部１０３は、例えば、一次電子チケット購入時のまたは購入申し込み時から、二次電子チケットの売却の依頼取得時又は二次電子チケットの売却の依頼受付時までの経過期間が所定の期間内である場合に、二次電子チケットの譲渡を制限する。所定の期間は、例えば、予め定められた期間であってもよいし、イベントの主催者や二次電子チケット販売システムの運営者によって任意に設定された期間であってもよい。また、所定の期間は、例えば、一次電子チケットに関する情報に基づいて設定された期間であってもよい。一次電子チケットに関する情報は、例えば、当該一次電子チケットの価格や総販売数、残在庫数、想定需要、希少性などである。例えば。所定の期間が２週間（１４日）と設定されていた場合、制御部１０３の販売部は、一次電子チケットの購入時または購入申し込み時からの経過期間が２週間（１４日）以内であるか否かを判定し、一次電子チケットの購入時または購入申し込み時からの経過期間が２週間（１４日）以内であると判定された場合に二次電子チケットの譲渡を制限する。
【０２４９】
なお、二次電子チケットの譲渡制限の枚数は、一次電子チケットの購入時または購入申し込み時からの経過期間に基づいて、決定してもよい。例えば、二次電子チケットの譲渡制限の枚数は、一次電子チケットの購入時または購入申し込み時からの経過期間が短い場合には譲渡制限枚数を多く設定し（すなわち、譲渡可能枚数を少なく設定する）、長い場合に少なく設定してもよい（すなわち、譲渡可能枚数を多く設定する）。
【０２５０】
なお、二次電子チケットの譲渡制限の枚数は、イベント開催時点までの残期間に基づいて、決定してもよい。例えば、二次電子チケットの譲渡制限の枚数は、イベント開催時点までの残期間が長い場合には譲渡制限枚数を多く設定し（すなわち、譲渡可能枚数を少なく設定する）、短い場合に少なく設定してもよい（すなわち、譲渡可能枚数を多く設定する）。
【０２５１】
このような構成により、本発明の第３の実施態様に係る電子チケット販売装置は、転売目的である推定される蓋然性が高い電子チケットを購入した直後の当該電子チケットの再販売を制限することによって、電子チケットの購入直後に当該電子チケットを販売する業者など、専ら電子チケットの転売を行う業者による電子チケットの販売を制限することができ、健全な電子チケットの流通に寄与することができる。
【０２５２】
また、販売部として機能する制御部１０３の販売部は、例えば、一次電子チケットの譲渡率または譲渡申込率に基づいて、二次電子チケットの譲渡を制限してもよい。販売部として機能する制御部１０３は、例えば、一次電子チケットの過去の譲渡率または譲渡申込率が所定値以上である場合に、二次電子チケットの譲渡を制限する。所定値は、予め定められた値であってもよいし、イベントの主催者や二次電子チケット販売システムの運営者によって任意に設定された値であってもよい。所定値が例えば５０％と設定されている場合には、制御部１０３の販売部は、一次電子チケットの過去の譲渡率または譲渡申込率が５０％を超えているか否かを判定し、判定結果に基づいて二次電子チケットの譲渡を制限する。譲渡率とは一次電子チケットの購入数に対する購入された一次電子チケットに対応する二次電子チケットの譲渡数であり、譲渡申込率とは一次電子チケットの購入数に対する購入された一次電子チケットに対応する二次電子チケットの譲渡申込数である。
【０２５３】
このような構成により、本発明の第３の実施形態に係る電子チケット販売装置は、電子チケットの取引履歴に基づいて、一次電子チケットを購入したユーザによる当該一次電子チケットに対応する二次電子チケットの再販売を制限することにより、例えば、専ら電子チケットの転売を行う業者や電子チケットを高額な値段で売ろうとする業者等の販売を制限することができ、健全な電子チケットの流通に寄与することができる。
【０２５４】
販売部として機能する制御部１０３は、二次電子チケットとして売却依頼の対象となる一次電子チケットの売却可能期間を取得し、売却依頼を取得した日時が当該売却可能期間に含まれるか否かを判定する。また、販売部として機能する制御部１０３は、二次電子チケットとして売却依頼の対象となる一次電子チケットに対応するイベントのイベント開催時期を取得し、売却依頼を取得した日時と当該イベント開催時期が所定の条件を満たす場合に売却依頼を受け付け、また所定の条件を満たさない場合に売却依頼を拒否することによって二次電子チケットの譲渡を制限してもよい。所定の条件は、売却依頼を取得した日時がイベント開催時期から所定の期間外であることであり、所定の期間は、任意に設定された例えば１週間などの期間やイベントの情報に基づいて設定された期間であってもよい。イベントの情報に基づいて設定された期間は、対象となるイベントの相対的に優位性や希少性に対応する期間が設定されてもよい。
【０２５５】
一次電子チケットデータベース１２０又は一次電子チケットデータベース２１０は、売却可能な一次電子チケットの情報だけを格納するように構成されてもよい。この場合において、一次電子チケットデータベース１２０又は一次電子チケットデータベース２１０は、売却可能期間を経過した一次電子チケットの情報を、自動的に削除するように構成してもよい。
【０２５６】
一次電子チケットデータベース１２０又は一次電子チケットデータベース２１０は、例えば、一次電子チケット販売装置２００が一次電子チケットを販売した場合に、当該一次電子チケット販売装置２００から、一次電子チケットに関する情報を取得してもよい。また、一次電子チケットデータベース１２０は、所定のタイミングや所定の周期、または、一次電子チケット販売装置２００が一次電子チケットを販売する都度、一次電子チケットに関する情報を取得するように構成してもよい。
【０２５７】
販売部として機能する制御部１０３は、譲渡制限（売却依頼を拒否することによる二次電子チケットの譲渡制限を含む）の対象となった二次電子チケットについて、当該電子チケットに対応するイベントの主催者や一次電子チケット販売装置２００や一次電子チケット販売装置１００に対して譲渡制限候補として通知し、当該通知に対して譲渡制限を解除する旨の通知を取得した場合に、譲渡制限を解除するように構成してもよい。  
【０２５８】
（第４の実施形態）
第４の実施形態は、二次電子チケットの購入申込みを取得した場合、二次電子チケット販売装置１００が、所定の条件に基づいて、二次電子チケットの譲渡の制限を実行する場合の実施形態である。第４の実施形態において、二次電子チケット販売装置１００は、例えば、二次電子チケットを販売する場合に（二次電子チケットの購入申込があった場合に）、二次電子チケットの有効性に基づいて、二次電子チケットの譲渡の制限を実行する。なお、二次電子チケット販売装置１００による、二次電子チケットの譲渡の制限を実行するタイミングは、二次電子チケットを販売するタイミングに限定されない、例えば、二次電子チケットの売却を依頼したユーザによる電子チケットの利用を検出したタイミングや、同一のイベントに関する二次電子チケットの在庫に変動があったタイミングや任意のタイミングなどでもよい。
【０２５９】
販売部として機能する制御部１０３は、例えば、二次電子チケットの有効性に基づいて、当該二次電子チケットの譲渡を制限する。販売部として機能する制御部１０３は、例えば、二次電子チケットの購入申込があった場合に、認証装置３００に当該二次電子チケットの有効性の認証を依頼し、有効である場合に、当該購入申込を受け付ける。すなわち、販売部として機能する制御部１０３は、認証結果が有効である場合に、二次電子チケットの販売を許可する。一方、販売部として機能する制御部１０３は、認証装置３００の認証結果が無効である場合には、二次電子チケットの購入申込を受け付けない。すなわち、販売部として機能する制御部１０３は、認証結果が無効である場合に、二次電子チケットの販売を不許可とする。
【０２６０】
また、販売部として機能する制御部１０３は、例えば、二次電子チケットの購入申し込みを購入申込予約として受け付け、その後、所定のタイミングで認証装置３００に当該二次電子チケットの有効性の認証を依頼するように構成してもよい。そして、販売部として機能する制御部１０３は、認証装置３００の認証結果が有効である場合に、当該購入申込予約を購入申込として受け付ける。すなわち、販売部として機能する制御部１０３は、二次電子チケットの購入申し込みを購入申込予約として受け付け後に所定のタイミングで行った認証の認証結果が有効である場合に、二次電子チケットの販売を許可する。
【０２６１】
また、販売部として機能する制御部１０３は、例えば、二次電子チケットの購入予約を複数受け付け、当該購入予約数が複数のユーザによる二次電子チケットとして販売される一次電子チケットの売却依頼数の合計値よりも多い場合に、先着順や抽選により複数の購入予約のうち、売却依頼数に対応する数量の購入予約を、購入申込として受け付けてもよい。
【０２６２】
上記のとおり、販売部として機能する制御部１０３は、二次電子チケットの購入申込を受けた時点において、当該二次電子チケットの有効性を認証し、当該購入申込の受付の可否を判定する。なお、販売部として機能する制御部１０３は、二次電子チケットの購入申込を一度受け付け、その後、所定のタイミングで当該二次電子チケットの有効性を認証し、受け付けた購入申込のキャンセルの要否を判定するように構成してもよい。
【０２６３】
販売部として機能する制御部１０３は、例えば、二次電子チケットの購入申込を一度受け付け、その後、所定のタイミングで、認証装置３００に対して当該二次電子チケットの有効性の認証を依頼する。所定のタイミングは、例えば、二次電子チケットの販売代金を、当該二次電子チケットの売却を依頼したユーザに支払うタイミングである。なお、所定のタイミングは、この例に限られず、任意のタイミングでよい。
【０２６４】
販売部として機能する制御部１０３は、認証結果が有効である場合に、当該二次電子チケットの販売代金を、当該二次電子チケットの売却を依頼したユーザに支払う。一方、販売部として機能する制御部１０３は、認証結果が有効でない場合に、二次電子チケットの購入申込をキャンセルして、当該二次電子チケットの販売代金を、当該二次電子チケットの購入者に返金する。また、販売部として機能する制御部１０３は、二次電子チケットを購入したユーザのユーザ端末４００ｂに対して、当該二次電子チケットの販売がキャンセルされた旨を通知する。
【０２６５】
このような構成により、本発明の第４の実施態様に係る二次電子チケット販売装置１００は、二次電子チケットの購入を希望するユーザである第２の購入者が電子チケットを購入の申込をした際に、当該電子チケットが使用可能であるか否かを認証できるため、例えば、二次電子チケットの売却を依頼したユーザである第１の購入者による売却手続きが完了していない場合などに誤って電子チケットを販売することを防止することができる。また、二次電子チケット販売装置１００は、第２の購入者が電子チケットを購入した後であっても、当該電子チケットが有効でない（または有効でなくなった）場合には、電子チケットの販売を停止することが可能となる。
【０２６６】
二次電子チケット販売装置１００は、二次電子チケットの購入を希望するユーザに対して二次電子チケットを提示する場合に、二次電子チケットの売却を依頼したユーザから受け付けた二次電子チケットを当該ユーザ毎に区別せずに、電子チケットに対応するイベントに対応付けて当該複数の二次電子チケットをまとめて（一体的に）提示するように構成してもよい。
【０２６７】
図２３は、第４の実施形態における、二次電子チケット販売システムの動作例を示すフローチャートである。
【０２６８】
図２３に示すように、一次電子チケットの購入者はユーザ端末４００ａを用いて、一次電子チケット販売装置２００に対して、一次電子チケットの購入依頼を行い（Ｓ１７０１）、当該購入依頼が許可された場合に一次電子チケット販売装置２００に対して当該一次電子チケットの料金を支払う（Ｓ１７０２）。
【０２６９】
一次電子チケット販売装置２００は、ユーザ端末４００ａから一次電子チケットの料金の支払を取得した場合に、認証装置３００に対して、一次電子チケットの情報の登録を依頼する（Ｓ１７０３）。
【０２７０】
認証装置３００は、一次電子チケット販売装置２００から取得した一次電子チケットの情報の登録の依頼に基づいて、一次電子チケットの情報登録を行う（Ｓ１７０４）。
【０２７１】
その後、一次電子チケット販売装置２００は、ユーザ端末４００ａに対して、一次電子チケットの情報又は一次電子チケットを発行するための情報を配布する（Ｓ１７０５）。
【０２７２】
一次電子チケットを購入したユーザはユーザ端末４００ａ用いて、二次電子チケット販売装置１００に対して、一次電子チケットを二次電子チケットとして売却するための売却依頼を行う（Ｓ１７０６）。
【０２７３】
二次電子チケット販売装置１００は、売却依頼の対象となる電子チケットが売却可能な電子チケットであるか否かを判定し（Ｓ１７０７）、売却不可と判定した場合には、ユーザ端末４００ａに対して、売却不可を通知する（Ｓ１７０８）。一方、二次電子チケット販売装置１００は、売却可能と判定した場合には、認証端末３００に対してユーザ端末４００aの認証を依頼し（Ｓ１７０９）、認証が成功しない場合には、ユーザ端末４００ａに対して売却不可を通知する（Ｓ１７１０）。一方、認証が成功した場合には、ユーザ端末４００ａに対して、売却依頼受付通知を送信し（Ｓ１７１１）、一次電子チケット販売装置２００に対して、一次電子チケットの無効化を依頼する（Ｓ１７１２）。
【０２７４】
一次電子チケット販売装置２００は、一次電子チケットの無効化を依頼を取得した場合に、認証装置３００に対して、一次電子チケットの情報削減依頼を行う（Ｓ１７１３）。
【０２７５】
認証装置３００は、一次電子チケット販売装置２００から一次電子チケットの情報削減依頼を取得した場合に、一次電子チケットの情報を削除を行う（Ｓ１７１４）。
【０２７６】
その後、二次電子チケットの購入を希望する購入者はユーザ端末４００ｂを用いて、二次電子チケット販売装置１００に対して二次電子チケットの購入依頼を行う（Ｓ１７１５）。
【０２７７】
二次電子チケットの購入依頼を取得した場合に、二次電子チケット販売装置１００は、認証装置３００に対して、二次電子チケットの有効性の確認依頼を行う（Ｓ１７１６）。
【０２７８】
二次電子チケットの有効性の確認依頼を取得した場合に、認証装置３００は、登録情報に基づいて、二次電子チケットの未使用を確認し（Ｓ１７１７）、二次電子チケット販売装置１００に対して、二次電子チケットの有効性の確認結果を通知する（Ｓ１７１８）。
【０２７９】
二次電子チケット販売装置１００は、二次電子チケットが有効である場合に、二次電子チケットの販売を許可し、二次電子チケットが有効でない場合に、二次電子チケットの販売を不許可とする（Ｓ１７１９）。
【０２８０】
二次電子チケット販売装置１００は、二次電子チケットが有効である場合に、一次電子チケット販売装置２００に対して、二次電子チケットの販売を許可する旨を通知する（Ｓ１７２０）。
【０２８１】
その後、二次電子チケットの購入者はユーザ端末４００ｂを用いて、二次電子チケット販売装置１００に対して当該二次電子チケットの料金を支払う（Ｓ１７２１）。
【０２８２】
二次電子チケット販売装置１００は、ユーザ端末４００ｂから二次電子チケットの料金支払を取得した場合に、認証装置３００に対して、二次電子チケットに関する情報の登録を依頼する（Ｓ１７２２）。
【０２８３】
認証装置３００は、二次電子チケットに関する情報の登録依頼に基づいて、二次電子チケットに関する情報を登録する（Ｓ１７２３）。
【０２８４】
二次電子チケット販売装置１００は、ユーザ端末４００ｂに対して、二次電子チケットの情報又は二次電子チケットを発行するための情報を配布する（Ｓ１７２４）。
【０２８５】
その後、二次電子チケット販売装置１００は、二次電子チケットの売却を依頼したユーザまたはユーザ端末４００ａの認証を行う（Ｓ１７２５）。なお、二次電子チケット販売装置１００は、例えば認証装置３００などの他の装置に認証を依頼することによって二次電子チケットの売却を依頼したユーザまたはユーザ端末４００ａの認証を行うように構成してもよい。二次電子チケット販売装置１００は、二次電子チケットの売却を依頼したユーザまたはユーザ端末４００ａの認証が成功した場合に、当該二次電子チケットの売却報告を行うとともに、当該二次電子チケットの売却の料金の一部を支払う（Ｓ１７２６）。また、二次電子チケット販売装置１００は、二次電子チケットの売却を依頼したユーザまたはユーザ端末４００ａの認証が成功した場合に、一次電子チケット販売装置２００に対して、二次電子チケットの売却の料金の一部を支払う（Ｓ１７２７）。
【０２８６】
一方、二次電子チケット販売装置１００は、二次電子チケットの売却を依頼したユーザまたはユーザ端末４００ａの認証が成功しない場合に、二次電子チケットの料金の支払いを留保し、追加の認証を行う（Ｓ１７２８）。その後、二次電子チケット販売装置１００は、二次電子チケットの売却を依頼したユーザまたはユーザ端末４００ａの認証が成功しない場合に、二次電子チケットの料金の支払いを留保し、追加の認証を行う（Ｓ１７２９）。
【０２８７】
その後、ユーザ端末４００ａは、認証装置３００に対して、二次電子チケットの認証を依頼する（Ｓ１７３０）。認証装置３００は、ユーザ端末４００ａからの依頼に基づいて、登録情報に基づき、二次電子チケットの認証を実行する（Ｓ１７３１）。
【０２８８】
上記のとおり、二次電子チケット販売装置１００は、二次電子チケット販売装置１００は、第２の購入者が電子チケットを購入した際に、当該電子チケットが使用可能であるか否かを認証できるため、例えば、第１の購入者による売却手続きが完了していない場合などに誤って電子チケットを販売することを防止することができる。また、二次電子チケット販売装置１００は、第２の購入者が電子チケットを購入した後であっても、当該電子チケットが有効でない（または有効でなくなった）場合には、電子チケットの販売を停止することによって、有効ではない電子チケットを販売する行為などの不正行為を抑制することが可能となる。
【０２８９】
（１５）上記実施の形態において、二次電子チケット販売装置１００の各部は、集積回路（ＩＣ（Integrated Circuit）チップ、ＬＳＩ（Large Scale Integration））等に形成された論理回路（ハードウェア）や専用回路によって実現してもよいし、ＣＰＵ（Central Processing Unit）およびメモリを用いてソフトウェアによって実現してもよい。また、各機能部は、１または複数の集積回路により実現されてよく、複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。また、当該回路は、再構築可能な回路（例えば、ＦＰＧＡ：Field Programmable Gate Away）により実現されてもよい。二次電子チケット販売装置１００を回路により構成する場合、例えば、図１８に示すように、通信回路１０１ａ、記憶回路１０２ａ、制御回路１０３ａとから構成されてよく、各回路は、上記実施の形態に示した各機能部と同様の機能を実現する。
【０２９０】
二次電子チケット販売装置１００の各機能部をソフトウェアにより実現する場合、二次電子チケット販売装置１００は、各機能を実現するソフトウェアである二次電子チケット販売プログラムの命令を実行するＣＰＵ、上記二次電子チケット販売プログラムおよび各種データがコンピュータ（またはＣＰＵ）で読み取り可能に記録されたＲＯＭ（Read Only Memory）または記憶装置（これらを「記録媒体」と称する）、上記二次電子チケット販売プログラムを展開するＲＡＭ（Random Access Memory）などを備えている。そして、コンピュータ（またはＣＰＵ）が上記二次電子チケット販売プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記二次電子チケット販売プログラムは、当該二次電子チケット販売プログラムを伝送可能な任意の伝送媒体（通信ネットワークや放送波等）を介して上記コンピュータに供給されてもよい。本発明は、上記二次電子チケット販売プログラムが電子的な伝送によって具現化された、搬送波に埋め込まれたデータ信号の形態でも実現され得る。
【０２９１】
なお、上記二次電子チケット販売プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【０２９２】
（１６）本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【０２９３】
（１７）上記実施の形態に示した構成並びに参考例に示した構成は適宜組み合わせることとしてもよい。
【産業上の利用可能性】
【０２９４】
本発明に係る二次電子チケット販売システムは、電子チケットの二次流通市場を形成し、電子チケットの流通の活性化に貢献することができる。
【符号の説明】
【０２９５】
１００  二次電子チケット販売装置
１０１  通信部
１０２  記憶部
１０３  制御部
２００  一次電子チケット販売装置
２０１  通信部
２０２  記憶部
２０３  制御部
３００  認証装置
３０１  通信部
３０２  記憶部
３０３  報知部
３０４  制御部
４００、４００ａ、４００ｂ  ユーザ端末
４０１  通信部
４０２  入力受付部
４０３  表示部
４０４  記憶部
４０５  制御部
５００  ネットワーク
【図１】
2018026078.tif 000003
【図２】
2018026078.tif 000004
【図３】
2018026078.tif 000005
【図４】
2018026078.tif 000006
【図５】
2018026078.tif 000007
【図６】
2018026078.tif 000008
【図７】
2018026078.tif 000009
【図８】
2018026078.tif 000010
【図９】
2018026078.tif 000011
【図１０】
2018026078.tif 000012
【図１１】
2018026078.tif 000013
【図１２】
2018026078.tif 000014
【図１３】
2018026078.tif 000015
【図１４】
2018026078.tif 000016
【図１５】
2018026078.tif 000017
【図１６】
2018026078.tif 000018
【図１７】
2018026078.tif 000019
【図１８】
2018026078.tif 000020
【図１９】
2018026078.tif 000021
【図２０】
2018026078.tif 000022
【図２１】
2018026078.tif 000023
【図２２】
2018026078.tif 000024
【図２３】
2018026078.tif 000025